(57)【特許請求の範囲】
【請求項１】
基地局におけるワイヤレス通信の方法であって、
前記基地局から、キャリア上で基準信号リソースの第１のセットおよび基準信号リソースの第２のセットを送信することと、基準信号リソースの前記第１のセットは、第１のキャリアタイプに関連付けられ、基準信号リソースの前記第２のセットは、第２のキャリアタイプに関連付けられ、
第２のキャリアタイプのＵＥとの、基準信号リソースの前記第２のセットをサポートするためのシグナリングを維持する間に、前記基地局から、少なくとも１つの第１のキャリアタイプのＵＥに基準信号リソースの前記第１のセットのサポートをシグナリングすることと、
を備える、方法。
【請求項２】
基準信号リソースの前記第１のセットの前記サポートをシグナリングすることは、
基準信号リソースの前記第１のセットおよび基準信号リソースの前記第２のセットに関して同じプライマリ同期信号（ＰＳＳ）ロケーションを定義することと、
基準信号リソースの前記第１のセットに関してセカンダリ同期信号（ＳＳＳ）を定義することと、
基準信号リソースの前記第２のセットのために前記ＳＳＳを複製することと、
を備える、請求項１に記載の方法。
【請求項３】
前記ＰＳＳおよび前記ＳＳＳの２つのセットは、同じ物理セル識別子（ＰＣＩ）にマッピングされる、請求項２に記載の方法。
【請求項４】
基準信号リソースの前記第１のセットに関する前記ＰＳＳおよび前記ＳＳＳの第１のセットは、第１の物理セル識別子（ＰＣＩ）にマッピングされ、基準信号リソースの前記第２のセットに関する前記ＰＳＳおよび前記ＳＳＳの第２のセットは、第２のＰＣＩにマッピングされる、請求項２に記載の方法。
【請求項５】
基準信号リソースの前記第１のセットの前記サポートをシグナリングすることは、基準信号リソースの前記第１のセットのサポートを示すために、マスタ情報ブロック（ＭＩＢ）またはシステム情報ブロック（ＳＩＢ）においてリザーブされたビットをシグナリングすることを備える、請求項１に記載の方法。
【請求項６】
前記第１のキャリアタイプは、新たなキャリアタイプであり、前記第２のキャリアタイプは、レガシキャリアタイプである、請求項１に記載の方法。
【請求項７】
基準信号リソースの前記第１のセットおよび基準信号リソースの前記第２のセットは、直交サブフレームまたはサブバンドを備える、請求項１に記載の方法。
【請求項８】
ユーザ機器（ＵＥ）におけるワイヤレス通信の方法であって、
前記ＵＥが、キャリア上で基準信号リソースの第１のセットおよび基準信号リソースの第２のセットを受信することと、基準信号リソースの前記第１のセットは、第１のキャリアタイプに関連付けられ、基準信号リソースの前記第２のセットは、第２のキャリアタイプに関連付けられ、
前記ＵＥが、ｅノードＢが、少なくとも、基準信号リソースの前記第１のセット、基準信号リソースの前記第２のセット、またはそれらの組み合わせ、をサポートするかどうかを決定することと、
を備える、方法。
【請求項９】
前記決定することは、前記ｅノードＢが基準信号リソースの前記第１のセットをサポートするか、基準信号リソースの前記第２のセットをサポートするかを決定するために、物理ブロードキャストチャネル（ＰＢＣＨ）のための候補をブラインド復号することを備える、請求項８に記載の方法。
【請求項１０】
基準信号リソースの前記第１のセットは、新たなＰＢＣＨフォーマットから決定される、請求項９に記載の方法。
【請求項１１】
前記決定することは、前記ＰＢＣＨのための共通基準信号（ＣＲＳ）ポートに基づいて、前記ｅノードＢが基準信号リソースの前記第１のセットまたは基準信号リソースの前記第２のセットをサポートすることを決定することを備える、請求項９に記載の方法。
【請求項１２】
基準信号リソースの前記第１のセット、基準信号リソースの前記第２のセット、またはそれらの組み合わせ、のうちの１つまたは複数から基準信号受信電力を報告することをさらに備え、ここにおいて、前記決定することは、前記基準信号受信電力が基準信号リソースの前記第１のセットおよび基準信号リソースの前記第２のセットの両方に関して報告されるとき、基準信号リソースの前記第１のセットに関する割り当てを受信することをさらに備える、請求項８に記載の方法。
【請求項１３】
基準信号リソースの前記第１のセットのサポートを示すために、ランダムアクセスチャネル（ＲＡＣＨ）メッセージを送信することをさらに備える、請求項８に記載の方法。
【請求項１４】
前記第１のキャリアタイプは、新たなキャリアタイプであり、前記第２のキャリアタイプは、レガシキャリアタイプである、請求項８に記載の方法。
【請求項１５】
ワイヤレス通信のための装置であって、
メモリと、
前記メモリに結合された少なくとも１つのプロセッサと、
を備え、前記少なくとも１つのプロセッサは、
キャリア上で基準信号リソースの第１のセットおよび基準信号リソースの第２のセットを送信し、基準信号リソースの前記第１のセットは、第１のキャリアタイプに関連付けられ、基準信号リソースの前記第２のセットは、第２のキャリアタイプに関連付けられ、
第２のキャリアタイプのＵＥとの、基準信号リソースの前記第２のセットをサポートするためのシグナリングを維持する間に、少なくとも１つの第１のキャリアタイプのＵＥに基準信号リソースの前記第１のセットのサポートをシグナリングする、
ように構成される、装置。
【請求項１６】
前記少なくとも１つのプロセッサは、
基準信号リソースの前記第１のセットおよび基準信号リソースの前記第２のセットに関して同じプライマリ同期信号（ＰＳＳ）ロケーションを定義し、
基準信号リソースの前記第１のセットに関してセカンダリ同期信号（ＳＳＳ）を定義し、
基準信号リソースの前記第２のセットのために前記ＳＳＳを複製する、
ようにさらに構成される、請求項１５に記載の装置。
【請求項１７】
前記ＰＳＳおよび前記ＳＳＳの２つのセットは、同じ物理セル識別子（ＰＣＩ）にマッピングされる、請求項１６に記載の装置。
【請求項１８】
基準信号リソースの前記第１のセットに関する前記ＰＳＳおよび前記ＳＳＳの第１のセットは、第１の物理セル識別子（ＰＣＩ）にマッピングされ、基準信号リソースの前記第２のセットに関する前記ＰＳＳおよび前記ＳＳＳの第２のセットは、第２のＰＣＩにマッピングされる、請求項１６に記載の装置。
【請求項１９】
前記少なくとも１つのプロセッサは、基準信号リソースの前記第１のセットのサポートを示すために、マスタ情報ブロック（ＭＩＢ）またはシステム情報ブロック（ＳＩＢ）においてリザーブされたビットをシグナリングするようにさらに構成される、請求項１５に記載の装置。
【請求項２０】
前記第１のキャリアタイプは、新たなキャリアタイプであり、前記第２のキャリアタイプは、レガシキャリアタイプである、請求項１５に記載の装置。
【請求項２１】
基準信号リソースの前記第１のセットおよび基準信号リソースの前記第２のセットは、直交サブフレームまたはサブバンドを備える、請求項１５に記載の装置。
【請求項２２】
ワイヤレス通信のための装置であって、
メモリと、
前記メモリに結合された少なくとも１つのプロセッサと、
を備え、前記少なくとも１つのプロセッサは、
キャリア上で基準信号リソースの第１のセットおよび基準信号リソースの第２のセットを受信し、基準信号リソースの前記第１のセットは、第１のキャリアタイプに関連付けられ、基準信号リソースの前記第２のセットは、第２のキャリアタイプに関連付けられ、
ｅノードＢが、少なくとも、基準信号リソースの前記第１のセット、基準信号リソースの前記第２のセット、またはそれらの組み合わせ、をサポートするかどうかを決定する、
ように構成される、装置。
【請求項２３】
前記少なくとも１つのプロセッサは、前記ｅノードＢが基準信号リソースの前記第１のセットをサポートするか、基準信号リソースの前記第２のセットをサポートするかを決定するために、物理ブロードキャストチャネル（ＰＢＣＨ）のための候補をブラインド復号するようにさらに構成される、請求項２２に記載の装置。
【請求項２４】
基準信号リソースの前記第１のセットは、新たなＰＢＣＨフォーマットから決定される、請求項２３に記載の装置。
【請求項２５】
前記少なくとも１つのプロセッサは、前記ＰＢＣＨのための共通基準信号（ＣＲＳ）ポートに基づいて、前記ｅノードＢが基準信号リソースの前記第１のセットまたは基準信号リソースの前記第２のセットをサポートすることを決定するようにさらに構成される、請求項２３に記載の装置。
【請求項２６】
前記少なくとも１つのプロセッサは、
基準信号リソースの前記第１のセット、基準信号リソースの前記第２のセット、またはそれらの組み合わせ、のうちの１つまたは複数から基準信号受信電力を報告し、
前記基準信号受信電力が基準信号リソースの前記第１のセットおよび基準信号リソースの前記第２のセットの両方に関して報告されるとき、基準信号リソースの前記第１のセットに関する割り当てを受信する、
ようにさらに構成される、請求項２２に記載の装置。
【請求項２７】
前記少なくとも１つのプロセッサは、基準信号リソースの前記第１のセットのサポートを示すために、ランダムアクセスチャネル（ＲＡＣＨ）メッセージを送信するようにさらに構成される、請求項２２に記載の装置。
【請求項２８】
前記第１のキャリアタイプは、新たなキャリアタイプであり、前記第２のキャリアタイプは、レガシキャリアタイプである、請求項２２に記載の装置。
【請求項２９】
ワイヤレス通信のための装置であって、
キャリア上で基準信号リソースの第１のセットおよび基準信号リソースの第２のセットを送信するための送信モジュールと、基準信号リソースの前記第１のセットは、第１のキャリアタイプに関連付けられ、基準信号リソースの前記第２のセットは、第２のキャリアタイプに関連付けられ、
第２のキャリアタイプのＵＥとの、基準信号リソースの前記第２のセットをサポートするためのシグナリングを維持する間に、少なくとも１つの第１のキャリアタイプのＵＥに基準信号リソースの前記第１のセットのサポートをシグナリングするためのシグナリングモジュールと、
を備える、装置。
【請求項３０】
ワイヤレス通信のための装置であって、
キャリア上で基準信号リソースの第１のセットおよび基準信号リソースの第２のセットを受信するための受信モジュールと、基準信号リソースの前記第１のセットは、第１のキャリアタイプに関連付けられ、基準信号リソースの前記第２のセットは、第２のキャリアタイプに関連付けられ、
ｅノードＢが、少なくとも、基準信号リソースの前記第１のセット、基準信号リソースの前記第２のセット、またはそれらの組み合わせ、をサポートするかどうかを決定するための決定モジュールと、
を備える、装置。
【請求項３１】
プログラムコードを記録した非トランジトリなコンピュータ可読記憶媒体であって、前記プログラムコードは、
基地局から、キャリア上で基準信号リソースの第１のセットおよび基準信号リソースの第２のセットを送信するためのプログラムコードと、基準信号リソースの前記第１のセットは、第１のキャリアタイプに関連付けられ、基準信号リソースの前記第２のセットは、第２のキャリアタイプに関連付けられ、
第２のキャリアタイプのＵＥとの、基準信号リソースの前記第２のセットをサポートするためのシグナリングを維持する間に、前記基地局から、少なくとも１つの第１のキャリアタイプのＵＥに基準信号リソースの前記第１のセットのサポートをシグナリングするためのプログラムコードと、
を備える、非トランジトリなコンピュータ可読記憶媒体。
【請求項３２】
プログラムコードを記録した非トランジトリなコンピュータ可読記憶媒体であって、前記プログラムコードは、
ユーザ機器（ＵＥ）が、キャリア上で基準信号リソースの第１のセットおよび基準信号リソースの第２のセットを受信するためのプログラムコードと、基準信号リソースの前記第１のセットは、第１のキャリアタイプに関連付けられ、基準信号リソースの前記第２のセットは、第２のキャリアタイプに関連付けられ、
前記ＵＥが、ｅノードＢが、少なくとも、基準信号リソースの前記第１のセット、基準信号リソースの前記第２のセット、またはそれらの組み合わせ、をサポートするかどうかを決定するためのプログラムコードと、
を備える、非トランジトリなコンピュータ可読記憶媒体。
【発明の詳細な説明】
【関連出願の相互参照】
【０００１】
[0001] 本出願は、２０１２年５月１１日に出願された、「ＣＯＥＸＩＳＴＥＮＣＥ  ＢＥＴＷＥＥＮ  ＬＣＴＳ  ＡＮＤ  ＮＣＴＳ，」という名称の、米国仮特許出願番号第６１／６４６，２２４号、および２０１２年５月１８日に出願された、「ＣＯＥＸＩＳＴＥＮＣＥ  ＢＥＴＷＥＥＮ  ＬＣＴＳ  ＡＮＤ  ＮＣＴＳ」という名称の、米国仮特許出願番号第６１／６４９，１８８号に対して、米国特許法１１９条に基づき、利益を主張し、その開示は、それらの全体でここに参照により明示的に組み込まれている。
【技術分野】
【０００２】
[0002] 本開示の態様は、概してワイヤレス通信システムに関し、より具体的には、レガシキャリアタイプ（legacy carrier types）と新たなキャリアタイプ（new carrier types）との間での共存（coexistence）に関する。
【背景技術】
【０００３】
[0003] ワイヤレス通信システムは、電話通信、ビデオ、データ、メッセージング、およびブロードキャストのような様々な電気通信サービスを提供するために広く展開されている。典型的なワイヤレス通信システムは、利用可能なシステムリソース（例えば、帯域幅、送信電力）を共有することによって複数のユーザとの通信をサポートすることができる多元接続技術を用いることができる。このような多元接続技術の例は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムを含む。
【０００４】
[0004] これらの多元接続技術は、異なるワイヤレスデバイスが市区町村レベル、国レベル、地域レベル、さらにはグローバルレベルで通信することを可能にさせる、共通のプロトコルを提供するために、様々な電気通信規格に採用されている。台頭してきた電気通信規格の例は、ロングタームエボリューション（ＬＴＥ）である。ＬＴＥは、第３世代パートナシッププロジェクト（３ＧＰＰ）によって公表された、ユニバーサルモバイルテレコミュニケーションシステム（ＵＭＴＳ）モバイル規格に対する拡張のセットである。それは、スペクトル効率を改善することによってモバイルブロードバンドインターネットアクセスをより快適にサポートし、コストを下げ、サービスを向上させ、新たなスペクトラムを利用し、および、ダウンリンク（ＤＬ）上でＯＦＤＭＡを使用し、アップリンク（ＵＬ）上でＳＣ−ＦＤＭＡを使用し、多入力多出力（ＭＩＭＯ）アンテナ技術を使用して、より適切に他のオープン規格と統合するように設計されている。しかしながら、モバイルブロードバンドアクセスを求める需要が増加し続けるのに伴い、ＬＴＥ技術にはさらなる改善を求める必要性が存在する。望ましくは、これらの改善は、これらの技術を用いる電気通信規格および他の多元接続技術に適用可能であるべきである。
【０００５】
[0005] これは、以下の詳細な説明がより良く理解されうるように、本開示の特徴および技術的利点を幾分幅広く概説している。本開示のさらなる特徴および利点が以下で説明される。本開示が、本開示と同じ目的を実行するために他の構造を修正または設計するための基礎として容易に利用されうることは、当業者によって認識されるべきである。そのような等価の構造が、添付された特許請求の範囲で述べられる本開示の教示から逸脱しないこともまた、当業者によって了解されるべきである。さらなる目的および利点とともに、本開示の構成および動作の方法の両方に関する、本開示の特徴であると考えられる新規な特徴は、添付図面と関連して考慮されるとき、以下の説明からより良く理解されるであろう。しかしながら、図の各々が、例示および説明のみの目的で提供され、本開示の限定の定義として意図されるものではないことは、明確に理解されるべきである。
【発明の概要】
【０００６】
[0006] ワイヤレス通信の方法は、第１のキャリアタイプに関連付けられたリソースの第１のセットおよび第２のキャリアタイプに関連付けられたリソースの第２のセットを有する周波数帯域において生じる。１つの構成では、第１のキャリアタイプはＮＣＴ（ＮＣＴ）であり、第２のキャリアタイプはＬＣＴ（ＬＣＴ）である。ＬＣＴ  ＵＥは、第２のキャリアタイプから信号のみを受信しうる。しかしながらＮＣＴ  ＵＥは、第１のキャリアタイプおよび第２のキャリアタイプの両方から信号を受信することができる。したがって、ＮＣＴ  ＵＥをサポートしながら後方互換性を提供するために、ｅノードＢは、ＬＣＴ  ＵＥとのシグナリングを維持しながらＮＣＴ  ＵＥに第１のキャリアタイプのサポートをシグナリングすることができる。
【０００７】
[0007] 本開示の１つの態様では、ワイヤレス通信の方法が開示されている。方法は、キャリア上でリソースを送信することを含む。リソースは、第１のキャリアタイプに関連付けられたリソースの第１のセットおよび第２のキャリアタイプに関連付けられたリソースの第２のセットを含む。方法はさらに、第２のキャリアタイプのＵＥとのシグナリングを維持しながら、少なくとも１つの第１のキャリアタイプのＵＥに第１のキャリアタイプのサポートをシグナリングすることを含む。
【０００８】
[0008] 本開示の別の態様は、キャリア上でリソースを送信するための手段を含む装置を開示している。リソースは、第１のキャリアタイプに関連付けられたリソースの第１のセットおよび第２のキャリアタイプに関連付けられたリソースの第２のセットを含む。装置はさらに、第２のキャリアタイプのＵＥとのシグナリングを維持しながら、少なくとも１つの第１のキャリアタイプのＵＥに第１のキャリアタイプのサポートをシグナリングするための手段を含む。
【０００９】
[0009] 本開示の別の態様では、非トランジトリなコンピュータ可読媒体を有するワイヤレスネットワークにおけるワイヤレス通信のためのコンピュータプログラム製品が開示されている。コンピュータ可読媒体は、（１つまたは複数の）プロセッサによって実行されるとき、（１つまたは複数の）プロセッサにキャリア上でリソースを送信する動作を行わせる、そこに記憶された非トランジトリなプログラムコードを有する。リソースは、第１のキャリアタイプに関連付けられたリソースの第１のセットおよび第２のキャリアタイプに関連付けられたリソースの第２のセットを含む。プログラムコードはまた、（１つまたは複数の）プロセッサに、第２のキャリアタイプのＵＥとのシグナリングを維持しながら、少なくとも１つの第１のキャリアタイプのＵＥに第１のキャリアタイプのサポートをシグナリングさせる。
【００１０】
[0010] 本開示の別の態様は、メモリおよびメモリに結合された少なくとも１つのプロセッサを有するワイヤレス通信装置を含む。（１つまたは複数の）プロセッサは、キャリア上でリソースを送信するように構成される。リソースは、第１のキャリアタイプに関連付けられたリソースの第１のセットおよび第２のキャリアタイプに関連付けられたリソースの第２のセットを含む。（１つまたは複数の）プロセッサはさらに、第２のキャリアタイプのＵＥとのシグナリングを維持しながら、少なくとも１つの第１のキャリアタイプのＵＥに第１のキャリアタイプのサポートをシグナリングするように構成される。
【００１１】
[0011] 本開示の１つの態様では、ワイヤレス通信の方法が開示されている。方法は、キャリア上でリソースを受信することを含む。リソースは、第１のキャリアタイプに関連付けられたリソースの第１のセットおよび第２のキャリアタイプに関連付けられたリソースの第２のセットを含む。方法はさらに、ｅノードＢが第１のキャリアタイプおよび／または第２のキャリアタイプをサポートするかどうかを決定することを含む。
【００１２】
[0012] 本開示の別の態様は、キャリア上でリソースを受信するための手段を含む装置を開示している。リソースは、第１のキャリアタイプに関連付けられたリソースの第１のセットおよび第２のキャリアタイプに関連付けられたリソースの第２のセットを含む。装置はさらに、ｅノードＢが第１のキャリアタイプおよび／または第２のキャリアタイプをサポートするかどうかを決定するための手段を含む。
【００１３】
[0013] 本開示の別の態様では、非トランジトリなコンピュータ可読媒体を有するワイヤレスネットワークにおけるワイヤレス通信のためのコンピュータプログラム製品が開示されている。コンピュータ可読媒体は、（１つまたは複数の）プロセッサによって実行されるとき、（１つまたは複数の）プロセッサにキャリア上でリソースを受信する動作を行わせる、そこに記憶された非トランジトリなプログラムコードを有する。リソースは、第１のキャリアタイプに関連付けられたリソースの第１のセットおよび第２のキャリアタイプに関連付けられたリソースの第２のセットを含む。プログラムコードはまた、（１つまたは複数の）プロセッサにｅノードＢが第１のキャリアタイプおよび／または第２のキャリアタイプをサポートするかどうかを決定させる。
【００１４】
[0014] 本開示の別の態様は、メモリおよびメモリに結合された少なくとも１つのプロセッサを有するワイヤレス通信装置を含む。（１つまたは複数の）プロセッサは、キャリア上でリソースを受信するように構成される。リソースは、第１のキャリアタイプに関連付けられたリソースの第１のセットおよび第２のキャリアタイプに関連付けられたリソースの第２のセットを含む。（１つまたは複数の）プロセッサはさらに、ｅノードＢが第１のキャリアタイプおよび／または第２のキャリアタイプをサポートするかどうかを決定するように構成される。
【００１５】
[0015] 本開示のさらなる特徴および利点が以下で説明されることになる。本開示が、本開示と同じ目的を実行するために他の構造を修正または設計するための基礎として容易に利用されうることは、当業者によって認識されるべきである。そのような等価の構造が、添付された特許請求の範囲で述べられる本開示の教示から逸脱しないこともまた、当業者によって了解されるべきである。さらなる目的および利点とともに、本開示の構成および動作の方法の両方に関する、本開示の特徴であると考えられる新規な特徴は、添付図面と関連して考慮されるとき、以下の説明からより良く理解されるであろう。しかしながら、図の各々が、例示および説明のみの目的で提供され、本開示の限定の定義として意図されるものではないことは、明確に理解されるべきである。
【図面の簡単な説明】
【００１６】
本開示の特徴、性質および利点は、同じ参照記号が全体を通して対応するように識別する図面と関連して捉えられるとき、以下で述べられる詳細な説明からより明らかになる。
【図１】ネットワークアーキテクチャの例を示す図である。
【図２】アクセスネットワークの例を示す図である。
【図３】ＬＴＥにおけるダウンリンクフレーム構造の例を例示する図である。
【図４】ＬＴＥにおけるアップリンクフレーム構造の例を例示する図である。
【図５】ユーザおよび制御プレーンのための無線プロトコルアーキテクチャの例を例示する図である。
【図６】アクセスネットワークにおける発展型ノードＢおよびユーザ機器の例を例示する図である。
【図７】本開示の１つの態様にしたがった異種ネットワークにおける適応リソース分割を概念的に例示するブロック図である。
【図８】連続的なキャリアアグリゲーションタイプを開示する図である。
【図９】非連続的なキャリアアグリゲーションタイプを開示する図である。
【図１０】ＭＡＣレイヤデータアグリゲーションを開示する図である。
【図１１】複数のキャリア構成において無線リンクを制御するための方法を例示するブロック図である。
【図１２Ａ】本開示の態様にしたがったレガシキャリアタイプおよび新たなキャリアタイプのためのサブフレーム分割を例示するブロック図である。
【図１２Ｂ】本開示の態様にしたがったレガシキャリアタイプおよび新たなキャリアタイプのためのサブフレーム分割を例示するブロック図である。
【図１３】本開示の態様にしたがったキャリアタイプ間での共存のための方法を例示するブロック図である。
【図１４】本開示の態様にしたがったキャリアタイプ間の共存のための方法を例示するブロック図である。
【図１５】例示的な装置における異なるモジュール／手段／コンポーネント間のデータフローを例示する概念的データフロー図である。
【図１６】例示的な装置における異なるモジュール／手段／コンポーネント間のデータフローを例示する概念的データフロー図である。
【図１７】例示的な装置における異なるモジュール／手段／コンポーネントを例示するブロック図である。
【図１８】例示的な装置における異なるモジュール／手段／コンポーネントを例示するブロック図である。
【詳細な説明】
【００１７】
[0032] 添付の図面に関連して以下で述べられる詳細な説明は、様々な構成の説明として意図されるものであり、ここで説明される概念が実現されうる、唯一の構成を表すように意図されるものではない。詳細な説明は、様々な概念の完全な理解を提供する目的で、具体的な詳細を含む。しかしながら、これらの概念がこれらの具体的な詳細なしに実現されうることは当業者には明らかになるだろう。いくつかの事例では、周知の構造およびコンポーネントが、そのような概念を曖昧にすることを避けるためにブロック図の形態で図示されている。
【００１８】
[0033] 電気通信システムの態様が、様々な装置および方法を参照して示されている。これらの装置および方法は、以下の詳細な説明において記述され、添付の図面において、様々なブロック、モジュール、コンポーネント、回路、ステップ、プロセス、アルゴリズム等（集合的には「要素」と称される）により例示されている。これらの要素は、電子ハードウェア、コンピュータソフトウェア、またはそれらのあらゆる組み合わせを使用してインプリメントされうる。そのような要素がハードウェアとしてインプリメントされるかソフトウェアとしてインプリメントされるかは、システム全体に課された設計の制約および特定のアプリケーションに依存する。
【００１９】
[0034] 例として、要素、または要素のいずれか一部、または要素のあらゆる組み合わせは、１つまたは複数のプロセッサを含む「処理システム」を用いてインプリメントされうる。プロセッサの例は、本開示全体を通して説明される様々な機能を行うように構成された、マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、ステートマシン、ゲート論理、ディスクリートハードウェア回路、および他の適したハードウェアを含む。処理システムにおける１つまたは複数のプロセッサは、ソフトウェアを実行することができる。ソフトウェアは、ソフトウェア、ファームウェア、ミドルウェア、マイクロコード、ハードウェア記述言語、あるいはそれ以外の名称で称される場合でも、命令、命令のセット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数、等を意味するものと広く解釈されるだろう。
【００２０】
[0035] したがって、１つまたは複数の例示的な実施形態では、説明された機能は、ハードウェア、ソフトウェア、ファームウェア、またはこれらのあらゆる組み合わせでインプリメントされうる。ソフトウェアでインプリメントされる場合、機能は、非トランジトリなコンピュータ可読媒体上に、１つまたは複数の命令またはコードとして記憶されるか、あるいは１つまたは複数の命令またはコードとして符号化されうる。コンピュータ可読媒体は、コンピュータ記憶媒体を含む。記憶媒体は、コンピュータによってアクセスされうるあらゆる利用可能な媒体でありうる。限定ではなく例として、このようなコンピュータ可読媒体は、ＲＡＭ、ＲＯＭ、ＥＥＰＲＯＭ、ＣＤ−ＲＯＭまたは他の光ディスク記憶装置、磁気ディスク記憶装置またはその他の磁気記憶デバイス、あるいは、データ構造または命令の形態で所望のプログラムコードを記憶または搬送するために使用されうる、かつコンピュータによってアクセスされうるあらゆる他の媒体を備えうる。ここで使用されるようなディスク（ｄｉｓｋおよびｄｉｓｃ）は、コンパクトディスク（ＣＤ）、レーザディスク（登録商標）、光ディスク、デジタルバーサタイルディスク（ＤＶＤ）、フロッピー（登録商標）ディスク、およびブルーレイ（登録商標）ディスクを含み、ここでディスク（ｄｉｓｋ）は大抵、データを磁気的に再生する一方で、ディスク（ｄｉｓｃ）はデータをレーザを用いて光学的に再生する。上記の組み合わせもまた、コンピュータ可読媒体の範囲内に含まれるべきである。
【００２１】
[0036] 図１は、ＬＴＥネットワークアーキテクチャ１００を例示する図である。ＬＴＥネットワークアーキテクチャ１００は、発展型パケットシステム（ＥＰＳ）１００として称されうる。ＥＰＳ１００は、１つまたは複数のユーザ機器（ＵＥ）１０２、発展型ＵＭＴＳ地上ラジオアクセスネットワーク（Ｅ−ＵＴＲＡＮ）１０４、発展型パケットコア（ＥＰＣ）１１０、ホーム加入者サーバ（ＨＳＳ）１２０、およびオペレータのＩＰサービス１２２を含むことができる。ＥＰＳは、他のアクセスネットワークと相互接続することができるが、簡潔化のために、それらのエンティティ／インターフェースは図示されていない。図示されているように、ＥＰＳ１００はパケット交換サービスを提供するが、当業者が容易に認識するように、本開示全体を通して示されている様々な概念は、回路交換サービスを提供するネットワークに拡張されることができる。
【００２２】
[0037] Ｅ−ＵＴＲＡＮ１０４は、発展型ノードＢ（ｅノードＢ）１０６および他のｅＮＢ１０８を含む。ｅノードＢ１０６は、ＵＥ１０２に対するユーザおよび制御プレーンプロトコルターミネーションを提供する。ｅノードＢ１０６は、バックホール（例えば、Ｘ２インターフェース）を介して、他のｅノードＢ１０８に接続されることができる。ｅノードＢ１０６はまた、基地局、基地トランシーバ局、無線基地局、無線トランシーバ、トランシーバ機能、ベーシックサービスセット（ＢＳＳ）、拡張サービスセット（ＥＳＳ）、または何らかの他の適した専門用語として称されうる。ｅノードＢ１０６は、ＵＥ１０２のためにＥＰＣ１１０へのアクセスポイントを提供する。ＵＥ１０２の例は、セルラ電話、スマートフォン、セッション開始プロトコル（ＳＩＰ）電話、ラップトップ、携帯情報端末（ＰＤＡ）、衛星ラジオ、全地球測位システム、マルチメディアデバイス、ビデオデバイス、デジタルオーディオプレイヤ（例えば、ＭＰ３プレイヤ）、カメラ、ゲーム機、または何らかの他の同様に機能するデバイスを含む。ＵＥ１０２は、当業者によって、モバイル局、加入者局、モバイルユニット、加入者ユニット、ワイヤレスユニット、遠隔ユニット、モバイルデバイス、ワイヤレスデバイス、ワイヤレス通信デバイス、遠隔デバイス、モバイル加入者局、アクセス端末、モバイル端末、ワイヤレス端末、遠隔端末、ハンドセット、ユーザエージェント、モバイルクライアント、クライアント、あるいは何らかの他の適した専門用語としても称されうる。
【００２３】
[0038] ｅノードＢ１０６は、例えばＳ１インターフェースを介して、ＥＰＣ１１０に接続される。ＥＰＣ１１０は、モビリティ管理エンティティ（ＭＭＥ）１１２、他のＭＭＥ１１４、サービングゲートウェイ１１６、およびパケットデータネットワーク（ＰＤＮ）ゲートウェイ１１８を含む。ＭＭＥ１１２は、ＵＥ１０２とＥＰＣ１１０との間のシグナリングを処理する制御ノードである。一般的に、ＭＭＥ１１２はベアラおよび接続管理を提供する。すべてのユーザＩＰパケットは、自身がＰＤＮゲートウェイ１１８に接続されるサービングゲートウェイ１１６を通って転送される。ＰＤＮゲートウェイ１１８は、ＵＥ  ＩＰアドレス割り当て、ならびに他の機能を提供する。ＰＤＮゲートウェイ１１８は、オペレータのＩＰサービス１２２に接続される。オペレータのＩＰサービス１２２は、インターネット、イントラネット、ＩＰマルチメディアサブシステム（ＩＭＳ）、およびＰＳストリーミングサービス（ＰＳＳ）を含むことができる。
【００２４】
[0039] 図２は、ＬＴＥネットワークアーキテクチャにおけるアクセスネットワーク２００の例を例示する図である。この例では、アクセスネットワーク２００が、多数のセルラ領域（セル）２０２に分けられている。１つまたは複数のより低い電力クラスのｅノードＢ２０８は、セル２０２のうちの１つまたは複数と重複するセルラ領域２１０を有することができる。より低い電力クラスのｅノードＢ２０８は、遠隔無線ヘッド（ＲＲＨ）、フェムトセル（例えば、ホームｅノードＢ（ＨｅＮＢ））、ピコセル、またはミクロセルでありうる。マクロｅノードＢ２０４は、それぞれ、各セル２０２に割り当てられ、セル２０２内のすべてのＵＥ２０６に対してＥＰＣ１１０へのアクセスポイントを提供するように構成されている。アクセスネットワーク２００のこの例には集中コントローラが存在しないけれども、代わりの構成では、集中コントローラが使用されうる。ｅノードＢ２０４は、無線ベアラ制御、アドミッション制御、モビリティ制御、スケジューリング、セキュリティ、およびサービングゲートウェイ１１６への接続を含む、すべての無線関連の機能を担う。
【００２５】
[0040] アクセスネットワーク２００によって用いられる変調および多元接続スキームは、展開されている特定の電気通信規格に依存して異なりうる。ＬＴＥのアプリケーションでは、周波数分割複信（ＦＤＤ）および時分割複信（ＴＤＤ）の両方をサポートするためにＯＦＤＭがダウンリンク上で使用され、ＳＣ−ＦＤＭＡがアップリンクに使用される。以下に続く詳細な説明から当業者が容易に認識することになるように、ここで表される様々な概念はＬＴＥアプリケーションにうまく適合される。しかしながら、これらの概念は、他の変調および複数のアクセス技法を用いる他の電気通信規格に容易に拡張されうる。例として、これらの概念は、エボリューションデータオプティマイズド（ＥＶ−ＤＯ）またはウルトラモバイルブロードバンド（ＵＭＢ）に拡張されうる。ＥＶ−ＤＯおよびＵＭＢは、ＣＤＭＡ２０００ファミリー規格の一部として、３世代パートナーシッププロジェクト２（３ＧＰＰ２）によって公表されたエアインターフェース規格であり、モバイル局にブロードバンドインターネットアクセスを提供するためにＣＤＭＡを用いる。これらの概念はまた、広帯域ＣＤＭＡ（Ｗ−ＣＤＭＡ（登録商標））、およびＴＤ−ＳＣＤＭＡのようなＣＤＭＡの他の変形例を用いるユニバーサル地上無線アクセス（ＵＴＲＡ）、ＴＤＭＡを用いる移動体通信のための全世界システム（ＧＳＭ（登録商標））、ＯＦＤＭＡを用いる、発展型ＵＴＲＡ（Ｅ−ＵＴＲＡ）、ウルトラモバイルブロードバンド（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、およびフラッシュＯＦＤＭに拡張されることもできる。ＵＴＲＡ、Ｅ−ＵＴＲＡ、ＵＭＴＳ、ＬＴＥ、およびＧＳＭは、３ＧＰＰの組織による文書において説明されている。ＣＤＭＡ２０００およびＵＭＢは、３ＧＰＰ２の組織による文書において説明されている。用いられる実際のワイヤレス通信規格および多元接続技術は、システムに課された全体的な設計の制約および指定のアプリケーションに依存するだろう。
【００２６】
[0041] ｅノードＢ２０４は、ＭＩＭＯ技術をサポートする複数のアンテナを有することができる。ＭＩＭＯ技術の使用は、ｅノードＢ２０４が、空間多重化、ビームフォーミング、および送信ダイバーシティをサポートするために空間ドメインを利用することを可能にする。空間多重化は、同じ周波数上で同時にデータの異なるストリームを送信するために使用されうる。データストリームは、データレートを増加させるために単一のＵＥ２０６に、または、全体的なシステム容量を増加させるために複数のＵＥ２０６に、送信されうる。これはそれぞれのデータストリームを空間的にプリコーディングし（つまり、振幅および位相のスケーリングを適用し）、その後ダウンリンク上で複数の送信アンテナを通じてそれぞれの空間的にプリコーディングされたストリームを送信することによって達成される。空間的にプリコーディングされたデータストリームは、異なる空間シグネチャとともに（１つまたは複数の）ＵＥ２０６へと到達し、これは、（１つまたは複数の）ＵＥ２０６のそれぞれがそのＵＥ２０６に宛てられた１つまたは複数のデータストリームを復元することを可能にする。アップリンク上でそれぞれのＵＥ２０６は、空間的にプリコーディングされたデータストリームを送信し、これは、ｅノードＢ２０４がそれぞれの空間的にプリコーディングされたデータストリームのソースを識別することを可能にする。
【００２７】
[0042] 空間多重化は一般的に、チャネル状況が良好なときに使用される。チャネル状況がさほど良好でないときには、ビームフォーミングが１つまたは複数の方向に送信エネルギーの焦点を当てるために使用されうる。これは、複数のアンテナを通じた送信のためにデータを空間的にプリコーディングすることによって、達成されることができる。セルの端で良好なカバレッジを達成するために、単一のストリームのビームフォーミング送信が送信ダイバーシティと組み合わせて使用されうる。
【００２８】
[0043] 以下に続く詳細な説明において、アクセスネットワークの様々な態様がダウンリンク上でＯＦＤＭをサポートするＭＩＭＯシステムを参照して説明されることになる。ＯＦＤＭは、ＯＦＤＭシンボル内の多数のサブキャリアにわたってデータを変調する拡散スペクトル技術である。サブキャリアは、精確な周波数で間隔が空けられている。間隔を空けることは、受信機がサブキャリアからデータを復元することを可能にする「直交性」を提供する。時間ドメインでは、ＯＦＤＭシンボル間干渉を抑制するために、それぞれのＯＦＤＭシンボルにガードインターバル（例えば、サイクリックプリフィクス）が追加されることができる。アップリンクは、高いピーク対平均電力比（ＰＡＰＲ）を補償するために、ＤＦＴ拡散ＯＦＤＭ信号の形態でＳＣ−ＦＤＭＡを使用することができる。
【００２９】
[0044] 図３は、ＬＴＥにおけるダウンリンクフレーム構造の例を例示する図３００である。フレーム（１０ｍｓ）は、１０個の等しいサイズのサブフレームに分けられうる。それぞれのサブフレームは、２つの連続するタイムスロットを含むことができる。リソースグリッドは２つのタイムスロットを表すために使用されることができ、それぞれのタイムスロットは、リソースブロックを含む。リソースグリッドは、複数のリソース要素に分けられる。ＬＴＥでは、リソースブロックは、周波数ドメインにおける１２個の連続するサブキャリアと、それぞれのＯＦＤＭシンボルにおける通常のサイクリックプリフィクスには時間ドメインにおける７つの連続するＯＦＤＭシンボルとを含み、すなわち、８４個のリソース要素を含む。拡張されたサイクリックプリフィックスでは、リソースブロックは、時間ドメインにおいて６つの連続するＯＦＤＭシンボルを含み、７２個のリソース要素を有する。Ｒ３０２、３０４として示されている、リソース要素のいくつかは、ダウンリンク基準信号（ＤＬ−ＲＳ）を含む。ＤＬ−ＲＳは、セル固有のＲＳ（ＣＲＳ）（共通ＲＳとも時折呼ばれる）３０２、およびＵＥ固有のＲＳ（ＵＥ−ＲＳ）３０４を含む。ＵＥ−ＲＳ３０４は、対応する物理ダウンリンク共有チャネル（ＰＤＳＣＨ）がマッピングされるリソースブロック上でのみ送信される。それぞれのリソース要素によって搬送されるビットの数は、変調スキームに依存する。したがって、ＵＥが受信するリソースブロックが多いほど、ならびに変調スキームが高度であるほど、そのＵＥのためのデータレートは高くなる。
【００３０】
[0045] 図４は、ＬＴＥにおけるアップリンクフレーム構造の例を例示する図４００である。アップリンクのために利用可能なリソースブロックは、データセクションおよび制御セクションに分割されうる。制御セクションは、システム帯域幅の両端に形成されることができ、設定可能なサイズを有することができる。制御セクションにおけるリソースブロックは、制御情報の送信のためにＵＥに割り当てられることができる。データセクションは、制御セクションに含まれないすべてのリソースブロックを含むことができる。アップリンクフレーム構造は結果として、連続するサブキャリアを含むデータセクションをもたらし、それは、単一のＵＥがデータセクションにおける連続するサブキャリアのすべてを割り当てられることを許容しうる。
【００３１】
[0046] ＵＥは、ｅノードＢに制御情報を送信するために、制御セクションにおけるリソースブロック４１０ａ、４１０ｂを割り当てられうる。ＵＥはまた、ｅノードＢにデータを送信するために、データセクションにおけるリソースブロック４２０ａ、４２０ｂを割り当てられうる。ＵＥは、制御セクションにおける割り当てられたリソースブロック上で、物理アップリンク制御チャネル（ＰＵＣＣＨ）における制御情報を送信することができる。ＵＥは、データセクションにおける割り当てられたリソースブロック上で、物理アップリンク共有チャネル（ＰＵＳＣＨ）におけるデータのみ、またはデータおよび制御情報の両方ともを送信することができる。アップリンク送信は、サブフレームの両スロットにわたることができ、周波数間をわたってホッピングすることができる。
【００３２】
[0047] リソースブロックのセットは、物理ランダムアクセスチャネル（ＰＲＡＣＨ）４３０において、初期システムアクセスを実行し、アップリンク同期を達成するために使用されうる。ＰＲＡＣＨ４３０はランダムシーケンスを搬送する。それぞれのランダムアクセスプリアンブルは、６つの連続するリソースブロックに対応する帯域幅を占有する。開始周波数は、ネットワークによって指定される。すなわち、ランダムアクセスプリアンブルの送信は、ある特定の時間および周波数リソースに制限される。ＰＲＡＣＨ用にホッピングする周波数は存在しない。ＰＲＡＣＨの試みは、単一のサブフレーム（１ｍｓ）において、あるいは少数の連続するサブフレームのシーケンスにおいてでしか搬送されず、ＵＥは、１つのフレーム（１０ｍｓ）につき単一のＰＲＡＣＨの試みしか行うことができない。
【００３３】
[0048] 図５は、ＬＴＥにおけるユーザおよび制御プレーンのための無線プロトコルアーキテクチャの例を例示する図５００である。ＵＥおよびｅノードＢのための無線プロトコルアーキテクチャは、レイヤ１、レイヤ２、およびレイヤ３の３つのレイヤで図示される。レイヤ１（Ｌ１レイヤ）は、最下位のレイヤであり、様々な物理レイヤの信号処理機能をインプリメントする。Ｌ１レイヤは、ここでは物理レイヤ５０６と称されることになる。レイヤ２（Ｌ２レイヤ）５０８は、物理レイヤ５０６よりも上位であり、物理レイヤ５０６を介してＵＥとｅノードＢとの間のリンクを担う。
【００３４】
[0049] ユーザプレーンでは、Ｌ２レイヤ５０８は、媒体アクセス制御（ＭＡＣ）サブレイヤ５１０、無線リンク制御（ＲＬＣ）サブレイヤ５１２、およびパケットデータコンバージェンスプロトコル（ＰＤＣＰ）５１４サブレイヤを含み、それらは、ネットワーク側のｅノードＢで終端する。図示されていないけれども、ＵＥは、ネットワーク側のＰＤＮゲートウェイ１１８で終端するネットワークレイヤ（例えば、ＩＰレイヤ）、および接続のもう一方の端（例えば、遠端のＵＥ、サーバ、等）で終端するアプリケーションレイヤを含む、Ｌ２レイヤ５０８よりも上位の、いくつかの上位レイヤを有することができる。
【００３５】
[0050] ＰＤＣＰサブレイヤ５１４は、異なる無線ベアラと論理チャネルとの間での多重化を提供する。ＰＤＣＰサブレイヤ５１４はまた、無線送信のオーバーヘッドを減じるための上位レイヤのデータパケットのヘッダ圧縮、データパケットを暗号化することによるセキュリティ、およびｅノードＢ間でのＵＥのためのハンドオーバサポートを提供する。ＲＬＣサブレイヤ５１２は、上位レイヤのデータパケットのセグメンテーションとリアセンブリ、および損失データパケットの再送、ハイブリッド自動再送要求（ＨＡＲＱ）に起因した順序が乱れた受信を補償するためのデータパケットの並び替えを提供する。ＭＡＣサブレイヤ５１０は、論理チャネルとトランスポートチャネルとの間の多重化を提供する。ＭＡＣサブレイヤ５１０はまた、１つのセルにおいて様々な無線リソース（例えば、リソースブロック）を複数のＵＥ間で割り当てることを担う。ＭＡＣサブレイヤ５１０はまた、ＨＡＲＱ演算を担う。
【００３６】
[0051] 制御プレーンにおいて、ＵＥおよびｅノードＢのための無線プロトコルアーキテクチャは、制御プレーンではヘッダ圧縮機能が存在しないということを除いては、物理レイヤ５０６およびＬ２レイヤ５０８に対して実質的に同じである。制御プレーンはまた、レイヤ３（Ｌ３レイヤ）における無線リソース制御（ＲＲＣ）サブレイヤ５１６を含む。ＲＲＣサブレイヤ５１６は、無線リソース（つまり、無線ベアラ）を取得すること、およびｅノードＢとＵＥとの間でのＲＲＣシグナリングを使用して下位レイヤを構成することを担当する。
【００３７】
[0052] 図６は、アクセスネットワークにおいてＵＥ６５０と通信するｅノードＢ６１０のブロック図である。ダウンリンクでは、コアネットワークからの上位レイヤパケットは、コントローラ／プロセッサ６７５に提供される。コントローラ／プロセッサ６７５は、Ｌ２レイヤの機能をインプリメントする。ダウンリンクでは、コントローラ／プロセッサ６７５は、ヘッダ圧縮、暗号化、パケットのセグメンテーションと並び替え、論理チャネルとトランスポートチャネルとの間での多重化、様々な優先順位メトリックに基づいたＵＥ６５０への無線リソースの割り当てを提供する。コントローラ／プロセッサ６７５はまた、ＨＡＲＱ演算、損失パケットの再送、ＵＥ６５０へのシグナリングを担う。
【００３８】
[0053] ＴＸプロセッサ６１６は、Ｌ１レイヤ（つまり、物理レイヤ）のための様々な信号処理機能をインプリメントする。信号処理機能は、ＵＥ６５０における前方誤り訂正（ＦＥＣ）を容易にするようにコード化およびインターリーブすること、様々な変調スキーム（例えば、２相位相変調（ＢＰＳＫ）、４相位相変調（ＱＰＳＫ）、Ｍ相位相変調（Ｍ−ＰＳＫ）、Ｍ値直交振幅変調（Ｍ−ＱＡＭ））に基づいて信号コンステレーションにマッピングすることを含む。コード化および変調されたシンボルはその後、並行なストリームに分けられる。それぞれのストリームはその後、時間ドメインのＯＦＤＭシンボルストリームを搬送する物理チャネルを生成するために、ＯＦＤＭサブキャリアにマッピングされ、時間ドメインおよび／または周波数ドメインにおいて基準信号（例えば、パイロット）で多重化され、そして、逆高速フーリエ変換（ＩＦＦＴ）を使用してともに合成される。ＯＦＤＭストリームは、複数の空間ストリームを生成するために空間的にプリコーディングされる。チャネル推定器６７４からのチャネル推定値が、コード化および変調スキームを決定するために、ならびに空間処理のために、使用されうる。チャネル推定値は、ＵＥ６５０によって送信されたチャネル状況のフィードバックおよび／または基準信号から導出されうる。それぞれの空間的なストリームはその後、別個の送信機６１８ＴＸを介して異なるアンテナ６２０に提供される。それぞれの送信機６１８ＴＸは、送信のためにＲＦキャリアを各空間ストリームで変調する。
【００３９】
[0054] ＵＥ６５０において、それぞれの受信機６５４ＲＸは、その各アンテナ６５２を通じて、信号を受信する。それぞれの受信機６５４ＲＸは、ＲＦキャリア上に変調された情報を復元し、受信機（ＲＸ）プロセッサ６５６に情報を提供する。ＲＸプロセッサ６５６はＬ１レイヤの様々な信号処理機能をインプリメントする。ＲＸプロセッサ６５６は、ＵＥ６５０に宛てられたあらゆる空間ストリームを復元するために、情報に対して空間処理を行う。複数の空間ストリームがＵＥ６５０に宛てられている場合、それらは、ＲＸプロセッサ６５６によって単一のＯＦＤＭシンボルストリームに合成されうる。ＲＸプロセッサ６５６はその後、高速フーリエ変換（ＦＦＴ）を使用して、ＯＦＤＭシンボルストリームを時間ドメインから周波数ドメインへと変換する。周波数ドメイン信号は、ＯＦＤＭ信号のそれぞれのサブキャリアに対して別個のＯＦＤＭシンボルストリームを備える。それぞれのサブキャリア上のシンボル、および基準信号は、ｅノードＢ６１０によって送信された最も確からしい信号コンステレーションポイントを決定することによって、復元および復調される。これらの軟判定は、チャネル推定器６５８によって計算されたチャネル推定値に基づきうる。軟判定は、その後、物理チャネル上でｅノードＢ６１０によって元々送信されたデータおよび制御信号を復元するために、復号およびデインターリーブされる。データおよび制御信号はその後、コントローラ／プロセッサ６５９に提供される。
【００４０】
[0055] コントローラ／プロセッサ６５９は、Ｌ２レイヤをインプリメントする。コントローラ／プロセッサは、プログラムコードおよびデータを記憶するメモリ６６０に関連付けられうる。メモリ６６０は、コンピュータ可読媒体として称されうる。アップリンクでは、コアネットワークからの上位レイヤパケットを復元するためにコントローラ／プロセッサ６５９は、トランスポートチャネルと論理チャネルとの間でのデマルチプレクシング、パケットのリアセンブリ、解読、ヘッダ圧縮解除、制御信号処理を提供する。上位レイヤパケットはその後、データシンク６６２に提供され、それは、Ｌ２レイヤより上位のすべてのプロトコルレイヤを表す。様々な制御信号もまた、Ｌ３処理のために、データシンク６６２に提供されることができる。コントローラ／プロセッサ６５９はまた、ＨＡＲＱ演算をサポートするために、肯定応答（ＡＣＫ）および／または否定応答（ＮＡＣＫ）プロトコルを使用して誤り検出を担う。
【００４１】
[0056] アップリンクでは、データソース６６７は、コントローラ／プロセッサ６５９に上位レイヤパケットを提供するために使用される。データソース６６７は、Ｌ２レイヤより上位のすべてのプロトコルレイヤを表す。ｅノードＢ６１０によるダウンリンク送信に関連して説明された機能と同様に、コントローラ／プロセッサ６５９は、ｅノードＢ６１０による無線リソースの割り当てに基づいて、ヘッダ圧縮、暗号化、パケットのセグメンテーションと並び替え、および論理チャネルとトランスポートチャネルとの間での多重化を提供することによって、ユーザプレーンおよび制御プレーンのためのＬ２レイヤをインプリメントする。コントローラ／プロセッサ６５９はまた、ＨＡＲＱ演算、損失パケットの再送、およびｅノードＢ６１０へのシグナリングを担う。
【００４２】
[0057] ｅノードＢ６１０によって送信された基準信号またはフィードバックからチャネル推定器６５８によって導出されたチャネル推定値は、適切なコード化および変調スキームを選択するために、ならびに空間処理を容易にするために、ＴＸプロセッサ６６８によって使用されることができる。ＴＸプロセッサ６６８によって作り出された空間ストリームは、別個の送信機６５４ＴＸを介して異なるアンテナ６５２に提供される。それぞれの送信機６５４ＴＸは、送信するためにＲＦキャリアを各空間ストリームで変調する。
【００４３】
[0058] アップリンク送信は、ＵＥ６５０における受信機機能に関連して説明された手法と同様の手法で、ｅノードＢ６１０において処理される。それぞれの受信機６１８ＲＸは、その各アンテナ６２０を通じて、信号を受信する。それぞれの受信機６１８ＲＸは、ＲＦキャリア上に変調された情報を復元し、ＲＸプロセッサ６７０に情報を提供する。ＲＸプロセッサ６７０は、Ｌ１レイヤをインプリメントすることができる。
【００４４】
[0059] コントローラ／プロセッサ６７５は、Ｌ２レイヤをインプリメントする。コントローラ／プロセッサ６７５は、プログラムコードおよびデータを記憶するメモリ６７６に関係付けられることができる。メモリ６７６は、コンピュータ可読媒体として称されうる。アップリンクでは、コントローラ／プロセッサ６７５は、ＵＥ６５０からの上位レイヤパケットを復元するためにトランスポートチャネルと論理チャネルとの間でのデマルチプレクシング、パケットのリアセンブリ、解読、ヘッダ圧縮解除、制御信号処理を提供する。コントローラ／プロセッサ６７５からの上位レイヤパケットはコアネットワークに提供されうる。コントローラ／プロセッサ６７５はまた、ＨＡＲＱ演算をサポートするために、ＡＣＫおよび／またはＮＡＣＫプロトコルを使用して誤り検出を担う。
【００４５】
[0060] 図７は、本開示の１つの態様にしたがった異種ネットワークにおけるＴＤＭ分割を例示するブロック図である。ブロックの第１の行は、フェムトｅノードＢに関するサブフレーム割り当てを例示し、ブロックの第２の行は、マクロｅノードＢに関するサブフレーム割り当てを例示する。ｅノードＢのそれぞれは、他のｅノードＢが静的禁止サブフレームを有する間、静的保護サブフレームを有する。例えば、フェムトｅノードＢは、サブフレーム０における禁止サブフレーム（Ｎサブフレーム）に対応するサブフレーム０における保護サブフレーム（Ｕサブフレーム）を有する。同様に、マクロｅノードＢは、サブフレーム７における禁止サブフレーム（Ｎサブフレーム）に対応するサブフレーム７における保護サブフレーム（Ｕサブフレーム）を有する。サブフレーム１−６は、いずれかの保護サブフレーム（ＡＵ）、禁止サブフレーム（ＡＮ）、および共通サブフレーム（ＡＣ）として動的に割り当てられる。動的に割り当てられるサブフレーム（ＡＵ／ＡＮ／ＡＣ）は、ここでは集合的に「Ｘ」サブフレームとして称される。サブフレーム５および６における動的に割り当てられた共通サブフレーム（ＡＣ）中に、フェムトｅノードＢおよびマクロｅノードＢの両方がデータを送信することができる。
【００４６】
[0061] （Ｕ／ＡＵサブフレームのような）保護サブフレームは、侵略（aggressor）ｅノードＢが送信することを禁止されるため、低減された干渉および高チャネル品質を有する。（Ｎ／ＡＮサブフレームのような）禁止サブフレームは、被害（victim）ｅノードＢが低干渉レベルでデータを送信することを許容するためにデータ送信を有さない。（Ｃ／ＡＣサブフレームのような）共通サブフレームは、データを送信する近隣ｅノードＢの数に依存するチャネル品質を有する。例えば、近隣ｅノードＢが共通サブフレーム上でデータを送信している場合、共通サブフレームのチャネル品質は、保護サブフレームよりも低くありうる。共通サブフレーム上のチャネル品質はまた、侵略ｅノードＢによって強く影響されるセル範囲拡張（ＣＲＥ）ＵＥにはより低くありうる。ＣＲＥ  ＵＥは、第１のｅノードＢに属しうるけれども、第２のｅノードＢのカバレッジエリアに位置付けられうる。例えば、フェムトｅノードＢカバレッジの範囲の限界に近いマクロｅノードＢと通信するＵＥは、ＣＲＥ  ＵＥである。
【００４７】
キャリアアグリゲーション
[0062] ＬＴＥ−アドバンスドＵＥは、それぞれの方向における送信に使用される合計１００Ｍｈｚ（５つのコンポーネントキャリア）までのキャリアアグリゲーションにおいて割り振られる２０Ｍｈｚ帯域幅までの中でスペクトルを使用する。一般的に、ダウンリンクよりも少ないトラフィックがアップリンク上で送信されるので、アップリンクスペクトルの割り振りは、ダウンリンクの割り振りよりも小さくなりうる。例えば、２０Ｍｈｚがアップリンクに割り当てられた場合、ダウンリンクは、１００Ｍｈｚを割り当てられうる。これらの非対称ＦＤＤ割り当ては、スペクトルを節約し、ブロードバンド加入者による典型的な非対称帯域幅利用に、より適している。
【００４８】
キャリアアグリゲーションタイプ
[0063] ＬＴＥアドバンスドモバイルシステムについては、２つのタイプのキャリアアグリゲーション（ＣＡ）方法が提案されてきており、連続的なＣＡおよび非連続的なＣＡである。それらは、図８および９において例示されている。非連続的なＣＡは、複数の利用可能なコンポーネントキャリアが周波数帯域に沿って分離されているときに生じる（図９）。他方では、連続的なＣＡは、複数の利用可能なコンポーネントキャリアが互いに隣接しているときに生じる（図８）。非連続的および連続的なＣＡの両方は、ＬＴＥアドバンスドＵＥの単一のユニットにサービス提供するために、複数のＬＴＥ／コンポーネントキャリアをアグリゲートする。
【００４９】
[0064] 複数のＲＦ受信ユニットおよび複数のＦＦＴは、キャリアが周波数帯域に沿って分離されているので、ＬＴＥアドバンスドＵＥにおいて非連続的なＣＡで展開されうる。非連続的なＣＡは、広周波数範囲にわたって複数の分離されたキャリアを介してデータ送信をサポートするため、伝搬パスロス、ドップラーシフトおよび他の無線チャネルの特性は、異なる周波数帯域で大きく異なりうる。
【００５０】
[0065] 従って、非連続的なＣＡアプローチ下で広帯域データ送信をサポートするために、方法は、異なるコンポーネントキャリアに関してコード化、変調および送信電力を適応的に調節するために使用されうる。例えば、強化型ノードＢ（ｅノードＢ）がそれぞれのコンポーネントキャリアに対して固定された送信電力を有するＬＴＥアドバンスドシステムでは、それぞれのコンポーネントキャリアのサポート可能な変調およびコード化または有効なカバレッジは、異なりうる。
【００５１】
データアグリゲーションスキーム
[0066] 図１０は、ＩＭＴアドバンスドシステムのための媒体アクセス制御（ＭＡＣ）レイヤ（図５）で異なるコンポーネントキャリアから送信ブロック（ＴＢ）をアグリゲートすることを例示している。ＭＡＣレイヤのデータアグリゲーションでは、それぞれのコンポーネントキャリアは、ＭＡＣレイヤにおいてそれ自体の独立したハイブリッド自動再送要求（ＨＡＲＱ）エンティティを有し、物理レイヤにおいてそれ自体の送信構成パラメータ（例えば、送信電力、変調およびコード化スキーム、および複数のアンテナ構成）を有する。同様に、物理レイヤでは、１つのＨＡＲＱエンティティが、それぞれのコンポーネントキャリアに対して提供される。
【００５２】
制御シグナリング
[0067] 一般的に、複数のコンポーネントキャリアのための制御チャネルシグナリングを展開するための異なるアプローチが存在する。１つのアプローチは、それぞれのコンポーネントキャリアがそれ自体のコード化された制御チャネルを与えられているＬＴＥシステムにおける制御構造のマイナーな修正を伴う。
【００５３】
[0068] 別のアプローチは、異なるコンポーネントキャリアの制御チャネルを共同でコード化すること、および専用のコンポーネントキャリアにおいて制御チャネルを展開することを伴う。複数のコンポーネントキャリアのための制御情報は、この専用の制御チャネルにシグナリングコンテンツとして統合される。結果として、ＬＴＥシステムにおける制御チャネル構造との後方互換性は維持されるが、一方でＣＡにおけるシグナリングオーバーヘッドが低減される。
【００５４】
[0069] また別のアプローチでは、異なるコンポーネントキャリアのためのマルチプル制御チャネルが、共同してコード化され、その後全体の周波数帯域をわたって送信される。このアプローチは、ＵＥ側で高電力消費を犠牲にして、制御チャネルにおける低いシグナリングオーバーヘッドおよび高い復号性能を提供する。しかしながら、この方法は、ＬＴＥシステムと互換性がない。
【００５５】
ハンドオーバ制御
[0070] ＣＡがＩＭＴアドバンスドＵＥに使用されるとき、複数のセルにわたるハンドオーバプロシージャの間に、送信連続性をサポートすることがより好ましい。しかしながら、特定のＣＡ構成およびサービス品質（ＱｏＳ）要件を備えた、受信するＵＥ（incoming UE）のために十分なシステムリソース（つまり、良質な送信品質を備えたコンポーネントキャリア）をリザーブすることは、次のｅノードＢにとって困難な場合がある。この理由は、２つ（またはそれより多い）の隣接セル（ｅノードＢ）のチャネル条件が特定のＵＥに対して異なりうるからである。１つのアプローチでは、ＵＥは、それぞれの隣接セルにおいて１つのコンポーネントキャリアのみの性能を測定する。これは、ＬＴＥシステムにおけるものと類似した測定遅延、複雑性、およびエネルギー消費を提示する。対応するセルにおける他のコンポーネントキャリアの性能の推定は、１つのコンポーネントキャリアの測定結果に基づきうる。この推定に基づいて、ハンドオーバの決定および送信構成が決定されうる。
【００５６】
[0071] 様々な例にしたがって、（キャリアアグリゲーションとしても称される）マルチキャリアシステムにおいて動作するＵＥは、「プライマリキャリア」として称されうる、同じキャリア上で、制御およびフィードバック機能のような、複数のキャリアのある特定の機能をアグリゲートするように構成される。サポートのためのプライマリキャリアに依存する残りのキャリアは、関連付けられたセカンダリキャリアとして称される。例えば、ＵＥは、オプションの個別チャネル（ＤＣＨ）、スケジュールされていない許可、物理アップリンク制御チャネル（ＰＵＣＣＨ）、および／または物理ダウンリンク制御チャネル（ＰＤＣＣＨ）によって提供されるもののような制御機能をアグリゲートすることができる。シグナリングおよびペイロードは、ｅノードＢによってＵＥにダウンリンク上で、およびＵＥによってｅノードＢにアップリンク上で、の両方で送信されうる。
【００５７】
[0072] いくつかの例では、複数のプライマリキャリアが存在しうる。加えてセカンダリキャリアは、ＬＴＥ  ＲＲＣプロトコルのための３ＧＰＰの技術的仕様書３６．３３１にあるような、レイヤ２およびレイヤ３のプロシージャである無線リンク誤り（ＲＬＦ）プロシージャおよび物理チャネル確立を含む、ＵＥの基本的な動作に影響を与えることなく追加、もしくは削除されうる。
【００５８】
[0073] 図１１は、１つの例にしたがって、物理チャネルをグループ化することによって、マルチプルキャリアワイヤレス通信システムにおいて無線リンクを制御するための方法１１００を例示している。図示されているように、ブロック１１０５で、方法は、プライマリキャリアおよび１つまたは複数の関連付けられたセカンダリキャリアを形成するために、少なくとも２つのキャリアからの制御機能を１つのキャリア上にアグリゲートすることを含む。次にブロック１１１０では、通信リンクは、プライマリキャリアおよびそれぞれのセカンダリキャリアに対して確立される。その後、通信は、ブロック１１１５においてプライマリキャリアに基づいて制御される。
【００５９】
レガシキャリアタイプと新たなキャリアタイプとの間の共存
[0074] ＬＴＥリリース１１の前に定義されるキャリアタイプは、レガシキャリアタイプ（ＬＣＴ）として称される。ＬＴＥリリース１１は、キャリアアグリゲーションのコンテキストにおいて、新たなキャリアタイプ（ＮＣＴ）を導入している。ＮＣＴは、後方互換性はない。本開示の態様は、同じキャリアを使用してＬＣＴ  ＵＥおよびＮＣＴ  ＵＥを多重化するように単一のキャリアを用いるオペレータを構成することを対象にする。本開示の別の態様は、同じキャリア上で２つの異なるスキームを動作させるように単一キャリアを用いるオペレータを構成することを対象にする。
【００６０】
[0075] ＮＣＴは、新たな検出および／または獲得信号を指定しない。依然として、ＮＣＴは、既存の信号の新たな時間および／または周波数構成を指定しうる。加えて、非同期の新たなキャリアでは、プライマリ同期信号およびセカンダリ同期信号（ＰＳＳ／ＳＳＳ）シーケンスが送信される。１つの構成では、ＬＣＴ  ＵＥがＮＣＴのＰＳＳ／ＳＳＳを獲得することを防ぐことが望ましくありうる。
【００６１】
[0076] ＮＣＴは、５ｍｓで周期的に１つのフレーム内で１つの基準信号（ＲＳ）ポートを搬送することができる。基準信号ポートは、それぞれの物理リソースブロック（ＰＲＢ）に関するリリース８のＣＲＳポート０のリソース要素（ＲＥ）およびリリース８シーケンスを含むことができる。ＮＣＴに関する基準信号（ＲＳ）ポートは、復調のために使用されない。ＮＣＴに関する帯域幅は、最大の（full）システム帯域幅（ＢＷ）であり、最小の帯域幅であり、および／または最大のシステム帯域幅と最小のシステム帯域幅との間で設定可能であることができる。最小の帯域幅は、以下の式に基づいて選択されうる。（ｍｉｎ（ｓｙｓｔｅｍ  ＢＷ，Ｘ）  ここにおいて、Ｘは｛６，２５｝のリソースブロック（ＲＢ）から選択される。共通の基準信号は、すべてのサブフレーム上で、または最大の帯域幅をわたって送信しない。
【００６２】
[0077] いくつかのケースでは、ＰＳＳ／ＳＳＳの時間周波数ロケーションを変更することは、新たなキャリアの獲得を防ぎ：セル間干渉調整（ＩＣＩＣ）に影響を与え、および中央の６つの物理リソースブロック（ＰＲＢ）における復調基準信号（ＤＭ−ＲＳ）回避を促進することができる。ＰＳＳ／ＳＳＳ性能は、ＰＳＳ／ＳＳＳを修正するときに考慮に入れられる。
【００６３】
[0078] 本開示の１つの態様は、ＮＣＴとＬＣＴとの間の共存および遷移を対象にする。１つの構成では、スペクトラムの互換性が、ＮＣＴおよびＬＣＴの共存の全体をわたって維持される。さらにこの構成では、スペクトラムの互換性はまた、ＮＣＴとＬＣＴとの間の遷移の全体をわたっても維持される。別の構成では、オペレータが１つよりも多いキャリアを有するとき、キャリアは分割されうる。加えていくつかのケースでは、異なるユーザに対するＮＣＴとＬＣＴとの間のロードバランシングが行われうる。別の構成では、ＮＣＴおよびＬＣＴスキームは、システムスループットを向上させるために適応的に適用される。
【００６４】
[0079] 本開示の１つの態様は、ＮＣＴとＬＣＴとの間の共存を向上させるために、周波数分割多重（ＦＤＭ）アプリケーションを対象にする。オペレータが複数のキャリア（例えば｛ｆ１，ｆ２，ｆ３，…｝）を有するシステムにおいて、ＮＣＴおよびＬＣＴの共存がサポートされうる。例えば、共存は、第１のキャリアｆ１および第２のキャリアｆ２を有する２つのキャリアシステムにおける以下の構造に関してサポートされることができ、ＰＣＣはプライマリコンポ―ネントキャリアであり、ＳＣＣはセカンダリコンポーネントキャリアであり、ＬＣＴはレガシキャリアタイプであり、ならびにＮＣＴは、新たなキャリアタイプである。
【００６５】
[0080] ｆ１（ＬＣＴ，ＰＣＣ）＋ｆ２（ＬＣＴ，ＳＣＣ）−リリース１０キャリアアグリゲーション（ＣＡ）；
[0081] ｆ１（ＬＣＴ，ＰＣＣ）＋ｆ２（ＮＣＴ，ＳＣＣ）−リリース１１ＣＡ；
[0082] ｆ１（ＮＣＴ，ＰＣＣ）＋ｆ２（ＬＣＴ，ＳＣＣ）−リリース１２ＣＡ；および
[0083] ｆ１（ＮＣＴ，ＰＣＣ）＋ｆ２（ＮＣＴ，ＳＣＣ）−リリース１２ＣＡ
[0084] ＬＴＥリリース１２に先行するＬＴＥリリースでは、ＬＣＴはアンカーキャリアとして指定される。加えて、クロスキャリアスケジューリングは、ＬＣＴに関するダウンリンク制御チャネルのためにサポートされる。クロスキャリアスケジューリングでは、異なるキャリアに関する送信は、アンカーキャリアからスケジューリングされる。ＬＴＥリリース１２では、ＮＣＴは、アンカーキャリアとして指定され、強化されたダウンリンク制御チャネルベースのクロスキャリアスケジューリングがサポートされている。代わりに、クロスキャリアスケジューリングは、強化されたダウンリンク制御チャネル（ｅＰＤＣＣＨ）に対して指定されないこともあり、また、ＮＣＴプライマリコンポーネントキャリア（ＰＣＣ）は、ＰＵＣＣＨのようなアップリンク制御チャンネルを搬送することができる。
【００６６】
[0085] １つの構成では、ＴＤＭはＮＣＴ上でＬＣＴ  ＵＥを許容する。この構成では、ＮＣＴは、制限された測定値を有するプライマリコンポーネントキャリアとして構成される。測定値制限は、ＬＣＴ  ＵＥに適用される。特に、測定値制限は、ＬＣＴ  ＵＥが通常、すべてのサブフレームにおいてＣＲＳを測定するので、ＬＣＴ  ＵＥに適用されうる。さらに具体的には、ＮＣＴ上で機能するＬＣＴ  ＵＥに関しては、ＬＣＴ  ＵＥは、すべてのサブフレームを測定することができない。測定値制限は、ＬＣＴモードを離れることがなければ、ＬＣＴ  ＵＥにＣＲＳを測定しないように指示するだろう。ＬＣＴ  ＵＥにサービス提供するサブフレームでは、ダウンリンク制御チャネルが最大の帯域幅共有基準信号（ＣＲＳ）に加えて指定される。
【００６７】
[0086] 本出願では、ＬＣＴ  ＵＥは、時折レガシＵＥとして称されうる。加えて、ＮＣＴ  ＵＥは、時折新たなＵＥとして称されうる。
【００６８】
[0087] 本開示の別の態様は、ＮＣＴおよびＬＣＴに対する時分割多重（ＴＤＭ）の適用を対象にする。ＴＤＭは、同じキャリア上で、ＮＣＴおよびＬＣＴの両方をサポートするように適用されうる。１つの構成では、測定されるべきでないサブフレームは、別のタイプのサブフレームとしてマスキングされうる。サブフレームのマスキングは、異種のネットワークのオールモストブランクサブフレーム（（ａｌｍｏｓｔ  ｂｌａｎｋ  ｓｕｂｆｒａｍｅ）ＡＢＳ）機能に類似しうる。つまり、ＡＢＳ機能は、ＵＥが指定のサブフレームを測定すべきでないことを指定する。
【００６９】
[0088] ＴＤＭアプリケーションでは、キャリアはＬＣＴサブフレームおよびＮＣＴサブフレームの両方を含みうるけれども、キャリアは、ＮＣＴまたはＬＣＴとして示されうる。つまり、いくつかのサブフレームは、ＬＣＴとして示されるが、ＮＣＴに適合する。１つの構成では、キャリアは、クリーン（ｃｌｅａｎ）および非クリーン（ｎｏｎ−ｃｌｅａｎ）サブフレーム（例えば、オールモストブランクサブフレーム（ＡＢＳ））に関するＨｅｔＮｅｔに類似するサブフレームプロシージャを制限することによって、いくつかのサブフレームに対して示されたキャリアタイプとは異なるキャリアタイプとして示されうる。
【００７０】
[0089] 図１２Ａは、本開示の１つの態様にしたがったサブフレームネットワークのＮＣＴおよびＬＣＴ分割を例示するブロック図である。例えば、ＬＣＴ  ＵＥは、サブフレームの第１のセットが、ＮＣＴ  ＵＥがサブフレームの第１のセット上で信号を送信することができるように制限されることを指示されうる。図１２Ａで図示されるように、サブフレーム５−９（ＳＦ５−ＳＦ９）はＮＣＴサブフレームとして示されることができ、これにより、ＬＣＴ  ＵＥは、サブフレーム５−９が制限されたサブフレームであることを指示されうる。加えて、ＮＣＴ  ＵＥは、サブフレームの第２のセットが制限されることを指示されうる。それにより、ＮＣＴ  ＵＥは、サブフレームの第２のセットを使用せず、ＬＣＴ信号は、サブフレームの第２のセットを介して送信される。図１２Ａで図示されるように、サブフレーム０−４（ＳＦ０−ＳＦ４）はＬＣＴサブフレームとして示されることができ、それにより、ＮＣＴ  ＵＥは、サブフレーム０−９が制限されたサブフレームであることを指示されうる。
【００７１】
[0090] 図１２Ｂは、本開示の別の態様にしたがったサブフレームネットワークのＮＣＴおよびＬＣＴ分割を例示するブロック図である。別の構成では、図１２Ｂで図示されているように、ＬＣＴ信号（ＰＳＳ／ＳＳＳおよびＣＲＳ）がサブフレーム０および５上で送信される。ＮＣＴ  ＵＥおよびＬＣＴ  ＵＥの両方は、サブフレーム０、５を認識し、読み出すことができる。ＮＣＴ  ＵＥは、サブフレーム１（ＳＦ１）上でスケジューリングされず、ＬＣＴ  ＵＥは、ＳＦ１を読み出すだろう。ＮＣＴ  ＵＥは、それらがＳＦ１に対してスケジューリングされないので、ＳＦ１を読み出さないだろう。ＬＣＴ  ＵＥは、ＳＦ２が制御されたサブフレームであると指示されるので、ＬＣＴ  ＵＥは、ＳＦ２を読み出さないだろう。ＮＣＴ  ＵＥはその後、ＳＦ２を読み出すだろう。残りのサブフレームは、ネットワークの構成に基づいて、ＮＣＴサブフレームまたはＬＣＴサブフレーム（ＬＣＴ／ＮＣＴ）のどちらかとして、指名されうる。
【００７２】
[0091] 別の構成では、制限された測定値は、ＬＣＴおよびＮＣＴ波形を直交させるために、オールモストブランクサブフレーム（ＡＢＳ）、マルチブロードキャスト単一周波数ネットワーク（ＭＢＳＦＮ）サブフレーム、および／または間欠（discontinues）受信（ＤＲＸ）サブフレームに適用されうる。分割は、ＬＣＴおよびＮＣＴ端末のローディングに依存して時間とともに変化しうる。現在、ＴＤＭ分割は、接続された状態に限定される。依然としてその概念は、完全な分割のためのアイドル状態に拡張されうる。さらに、ＮＣＴ動作は、ＬＣＴチャネルを用いずにブランクサブフレームとしての役割を有効に行って（effectively acting）、ＭＢＳＦＮサブフレームと類似するＬＣＴチャネルにおいて知らされうる。別の構成では、ＴＤＭアプリケーションは、任意の非互換性の特徴の共存を提供するためにＬＣＴおよびＮＣＴを超えて拡張される。
【００７３】
[0092] ＴＤＭ分割は、サポートされたサブフレームタイプに基づきうる。１つの構成では、５つのタイプのサブフレームが指定される。特に、サブフレームの２つのタイプはＬＣＴ  ＵＥをサポートし、サブフレームの３つのタイプは、ＮＣＴ  ＵＥをサポートする。この例では、ＬＣＴ  ＵＥは、ＬＴＥリリース８−１０にしたがって構成されたＵＥである。
【００７４】
[0093] ＬＣＴ  ＵＥをサポートするサブフレームの２つのタイプは、タイプ１およびタイプ２サブフレームでありうる。つまり、タイプ１（ＳＦ１）は、制御領域および共有基準信号（ＣＲＳ）を有するＭＢＳＦＮサブフレームである。加えて、タイプ２サブフレーム（ＳＦ２）は、少なくとも１ポートＣＲＳを有するＭＢＳＦＮサブフレームである。さらに、タイプ２サブフレームは、ＬＣＴ制御を用いて、少なくともいくつかのＵＥに対してＣＲＳベース復調を許容する。
【００７５】
[0094] ＮＣＴ  ＵＥをサポートするサブフレームの３つのタイプは、タイプ３、タイプ４、およびタイプ５サブフレームでありうる。つまり、タイプ３サブフレーム（ＳＦ３）は、ＬＣＴ制御領域を有さないＭＢＳＦＮサブフレームを含む。タイプ４サブフレーム（ＳＦ４）は、１ポートＣＲＳを有する非ＭＢＳＦＮサブフレームを含む。加えて、タイプ４サブフレームは、ＣＲＳベース物理ダウンリンク共有チャネル（ＰＤＳＣＨ）を有さない。さらに、タイプ４サブフレームは、ＬＣＴ制御を有さない。タイプ４サブフレームは、ＮＣＴに関するＰＳＳ／ＳＳＳ／ＣＲＳを有するサブフレーム０および５（ＳＦ０、ＳＦ５）に類似する。さらに、タイプ５サブフレーム（ＳＦ５）は、いずれのＣＲＳも有さず、ならびにＬＣＴ制御領域を有さない、非ＭＢＳＦＮサブフレームを含む。加えて、１つの構成では、サブフレームのこれらの３つのタイプにおけるＮＣＴに関する送信は、強化されたダウンリンク制御チャネル（ｅＰＤＣＣＨ）および共有ダウンリンクチャネル（ＰＤＳＣＨ）に関する第１のシンボルから始まりうる。
【００７６】
[0095] ＬＴＥリリース１１のために指定されるＵＥは、強化された制御チャネル（ｅＰＤＣＣＨ）をサポートしうる。したがって、ＮＣＴのための３つのサブフレームタイプ（つまり、タイプ４、５、および６）はまた、ＬＴＥリリース１１のＵＥによってサポートされうる。特に、ＬＴＥリリース１１のＵＥは、強化された制御チャネルが、ＣＲＳにわたって一致を査定する（rate match around）か、ＣＲＳによってパンクされる（be punctured）かが行われうる場合、ＮＣＴのための３つのサブフレームタイプを使用することができる。
【００７７】
[0096] １つの構成では、ＬＣＴおよびＮＣＴへのＴＤＭの適用が、ＬＣＴ  ＵＥとＮＣＴ  ＵＥとの間で５つの異なるサブフレームタイプを分割することをもたらす。ＴＤＭの適用はまた、トラフィックおよびローディング条件を満たすためにフレキシブルな適応を指定しうる。ＮＣＴ  ＵＥおよびＬＣＴ  ＵＥの両方は、無線リンク管理（ＲＬＭ）、無線リソース管理（ＲＲＭ）、および／またはチャネル状態情報（ＣＳＩ）への影響を低減するために制限された測定値を使用することができる。
【００７８】
[0097] １つの構成では、アップリンク構成は同じ状態のままである。したがって、ＬＣＴおよびＮＣＴは、同じＬＣＴアップリンクと関連付けられたダウンリンク通信で動作しうる。
【００７９】
[0098] 本開示の別の態様は、プライマリ同期信号／セカンダリ同期信号（ＰＳＳ／ＳＳＳ）構成を対象にする。ＰＳＳ／ＳＳＳがＮＣＴおよびＬＣＴの両方に関して同じである場合、ＮＣＴ  ＵＥおよびＬＣＴ  ＵＥの両方は、ＮＣＴおよびＬＣＴの両方からタイミングおよび物理セル識別子（ＰＣＩ）を獲得することができる。
【００８０】
[0099] 代わりとして、異なるＰＳＳ／ＳＳＳがＮＣＴ  ＵＥに対して送信される場合、ＰＳＳ／ＳＳＳは、ＵＥの両方のタイプが同じキャリアにアクセスすることができるように、ＮＣＴ  ＵＥおよびＬＣＴ  ＵＥの両方のために複製される。１つの構成では、ＰＳＳロケーションは同じであり、ＳＳＳロケーションのみが（例えば、ＮＣＴのために１つ、ならびにＬＣＴのために１つ）複製される。
【００８１】
[00100] 別の構成では、ＰＳＳおよびＳＳＳの両方が、ＮＣＴおよびＬＣＴの両方に関して同一に保持される。依然として、ＣＲＳのシーケンスマッピングは、２つのキャリアタイプを分化する（differentiate）ように変更されうる。例えば、ＬＣＴ  ＵＥは第１に、ＰＳＳを捜索し、その後ＳＳＳを捜索しうる。ＬＣＴ  ＵＥは、セルＩＤおよびサイクリックプリフィックス（ＣＰ）タイプを検出するためにＳＳＳを捜索する。
【００８２】
[00101] ＳＳＳがＮＣＴおよびＬＣＴに異なって配置される場合、ＬＣＴ  ＵＥは、いくつかの非関連情報を発見しうるけれども、依然としていくつかの候補セルＩＤを配信することができる。例えば、いくつかのケースでは、しきい値は指定されず、それによりＳＳＳ検出は、１つまたは複数の候補を配信するだろう。
【００８３】
[00102] ＰＳＳおよびＳＳＳを捜索した後、ＵＥは、基準信号受信電力（ＲＳＲＰ）測定を開始しうる。ＲＳＲＰ測定の間、ＵＥは、非関連測定を検出することができる。それにも関わらず、これらの非関連測定は、時間とともに劣化され（be dropped）うる。非関連測定は、Ｓ基準を満たさない測定でありうる。Ｓ基準は、セル選択基準を指し、つまり、受信された信号は、受信された信号がしきい値を超えるかどうかを決定するように評価される。
【００８４】
[00103] いくつかのケースでは、ＰＳＳ／ＳＳＳロケーションが維持され、ＣＲＳシーケンスが再マッピングされるとき、ＬＣＴ  ＵＥは、依然としてＲＳＲＰを測定することに進むだろう。ＰＳＳ／ＳＳＳロケーションおよびＣＲＳマッピングがサブフレーム０および５に関して維持される場合、ＬＣＴ  ＵＥは、ＲＳＲＰ測定値を取得することができる。依然として、ＲＡＲＰ測定値は、ＵＥがサブフレーム０または５以外のサブフレームを選択する場合、指定のｄＢ値分だけオフにされうる。したがって、ＬＣＴ  ＵＥは、ＮＣＴとともに機能しない。
【００８５】
[00104] 別の例では、共通基準信号（ＣＲＳ）帯域幅が１０ＭＨｚシステムにおける２５個のリソースブロック（ＲＢ）（５０個のＲＢ）である場合、上部のまたは下部の２５個のＲＢを占有するためにＣＲＳのロケーションをシフトすることが可能である。
【００８６】
[00105] したがって、１つの構成では、ＮＣＴ  ＵＥは、ＬＣＴ  ＵＥとしてネットワークにアクセスすることができる。依然として、ＮＣＴ  ＵＥは、ＮＣＴロケーションおよび／またはランダムアクセスチャネルリソースを決定するためにシステム情報ブロック（ＳＩＢ）を介して情報を取得することができる。
【００８７】
[00106] 本開示の別の態様は、アイドルモードの考慮を対象にする。キャリアアグリゲーションのケースでは、セカンダリコンポーネントキャリア（ＳＣＣ）がＬＣＴとＮＣＴとの間でＴＤＭされる場合、トラフィックの問題は、接続された状態の間に解決される必要がありうる。ＴＤＭされたＬＣＴおよびＮＣＴでの単一キャリア動作では、ＮＣＴ  ＵＥに関するページング時点（paging occasion）およびシフトするフレーム構成のような、さらなる問題がアイドル状態に存在する。
【００８８】
[00107] 特に、ページング時点は、ネットワークローディングに依存してサブフレーム４、４および９、または４、９、０、および５において定義される。ＬＣＴ  ＵＥは、国際的なモバイル加入者識別（ＩＭＳＩ）に基づいてページング時点にハッシュされる。したがって、最悪のケースのシナリオでは、サブフレーム４はＬＣＴ動作に利用可能である。１つの構成では、ＮＣＴ  ＵＥは、ＬＣＴ  ＵＥとしてサブフレームの直交セット上でページングされるオプション（つまり、直交時間上でページングすること）を有する。依然として、新たなハッシュ関数（hashing function）が定義されうる。
【００８９】
[00108] １つの構成では、フレーム構成は、ＮＣＴ  ＵＥに関してシフトされる。フレーム構造シフトは、第１のタイミングを有するためにＵＥの第１のセットに対して、および第２のタイミングを有するためにＵＥの第２のセットに対して、指定しうる。加えてＳＩＢの配信、無線リンクモニタリング、および他のプロシージャもまた、異なる送信モードに起因して区別されうる。
【００９０】
[00109] 本開示のまた別の態様では、組み合わされたＴＤＭとＦＤＭの適用が指定される。例えば、ＴＤＭはいくつかのサブフレームに対して適用され、ＦＤＭが他のサブフレームに対して適用されうる。特に、ＴＤＭは第１に、キャリア内でＮＣＴとＬＣＴとの間で適用され、その後ＦＤＭが、いくつかのサブフレームに関してＮＣＴとＬＣＴとの間で適用されうる。
【００９１】
[00110] 代わりとして、別の構成では、ＴＤＭがダウンリンクサブフレームに対して適用され、ＦＤＭがアップリンクサブフレームに対して適用される。１つの例では、ダウンリンクサブフレームに対してＴＤＭすることを維持する間に、アップリンクサブフレームに対して、ＮＣＴ  ＵＥとＬＣＴ  ＵＥとの間でＦＤＭすることがある。
【００９２】
[00111] 本開示の別の態様は、異なる、かつ適応型の帯域幅構成を対象にする。例えば、ＬＣＴは、ＮＣＴ  ＵＥに使用される実際の帯域幅とは異なる（例えば、それよりも小さい）帯域幅を知らせうる。さらに、帯域幅は、ＬＣＴとＮＣＴとの間でのフレキシブルな切り替えを許容するように、時間ととともに調整されうる。同様に、アップリンク帯域幅は、ＬＣＴのシステム情報ブロック（ＳＩＢ）において知らせられ、ネットワークに適応するように変化しうる。
【００９３】
[00112] 本開示の別の態様は、ＮＣＴおよびＬＣＴに対する同じキャリア内でのＦＤＭを対象にする。例えば、ＮＣＴ  ＵＥが２０ＭＨｚスペクトラムを通知される一方で、ＬＣＴ  ＵＥは、５ＭＨｚスペクトラムを通知される。
【００９４】
[00113] いくつかのケースでは、ＣＲＳがＬＴＥリリース８で指定されているものと同じ構造にあるため、ＬＣＴ  ＵＥは正しく測定を行うことができる。特に、ＣＲＳは、ＬＣＴ上のＭｅａｓＯｂｊｅｃｔＥＵＴＲＡならびにＳＩＢ３で、シグナリングされた、許容された測定された帯域幅（「ＡｌｌｏｗｅｄＭｅａｓＢａｎｄｗｉｄｔｈ」）にわたる。例えば、ＡｌｌｏｗｅｄＭｅａｓＢａｎｄｗｉｄｔｈ：：＝ＥＮＵＭＥＲＡＴＥＤ｛ｍｂｗ６，ｍｂｗ１５，ｍｂｗ２５，ｍｂｗ５０，ｍｂｗ７５，ｍｂｗ１００｝である。つまり、ＵＥは、ＲＢの数の観点から、測定のために許容された帯域幅をシグナリングされうる。例えば、ｍｂｗ６は、６つのＲＢの測定帯域幅である、ｍｂｗ１５は、１５個のＲＢの測定帯域幅である、などである。したがって、ＮＣＴが全体の帯域幅でＣＲＳを送信しない場合、ＬＣＴ  ＵＥは、測定を行うために許容された帯域幅をシグナリングされる。加えて、ＡｌｌｏｗｅｄＭｅａｓＢａｎｄｗｉｄｔｈは、ＬＣＴ  ＵＥにシグナリングされ、ＮＣＴにおけるＣＲＳのスパンに一致する。
【００９５】
[00114] 本開示の別の態様は、セル検出を確認するために物理ブロードキャストチャネル（ＰＢＣＨ）を読み出すＬＣＴ  ＵＥを対象にする。物理ブロードキャストチャネルは、ＬＣＴ構造と同じ構造でＮＣＴにおいて送信されうる。オプションで、物理ブロードキャストチャネルは、ＬＣＴ  ＵＥのためのＬＣＴフォーマットで複製されうる。
【００９６】
[00115] 本開示の別の態様は、ページングチャネルの設計を対象にする。前に論じられているように、ＬＣＴ  ＵＥに関してページング時点は、ネットワークローディングに依存してサブフレーム４、４および９、または４、９、０、および５において定義される。例えば、ＦＤＤ  ＬＣＴ  ＵＥは、国際的なモバイル加入者識別（ＩＭＳＩ）に基づいてページング時点にハッシュされる。前に論じられているように、この構成では、最悪のケースのシナリオで、サブフレーム４が常にＦＤＤ  ＬＣＴ  ＵＥに利用可能である。類似の概念が、０、１、５、および６のサブフレームのセットに関してＴＤＤネットワークに適用されうる。
【００９７】
[00116] 様々なページングチャネル設計が、ＮＣＴ  ＵＥに対して使用されうる。特に、ＮＣＴ  ＵＥは、ページングモニタリングのためにＬＣＴ  ＵＥと同じサブフレームを使用することができる。オプションで、ＮＣＴ  ＵＥは、ページングモニタリングのためにさらなるサブフレームを使用することができる。これらのさらなるサブフレームは、サブフレーム４、９、０、および５に加わり、あるいは、４、９、０、および５とは完全に異なるサブフレームを含むことができる。
【００９８】
[00117] これらのさらなるサブフレームを示すために、１ビットが、ｅノードＢが新たなページングサブフレームをサポートすることを示すためのマスタ情報ブロック（ＭＩＢ）に含まれうる。したがって、ＵＥがセル再選択を行うとき、ＵＥはセルタイプ（例えば、ＮＣＴまたはＬＣＴ）を知る。代わりの構成では、新たなページングサブフレームおよび／またはＮＣＴのサポートに関する情報は、システム情報ブロック（ＳＩＢ）に含まれうる。したがって、この構成は、セルタイプを決定するためにＵＥがＳＩＢを復号するように指定する。
【００９９】
[00118] 本開示の別の態様では、新たなページングスキームが定義される。１つの構成では、新たなページング無線ネットワーク一時的識別子（ＲＮＴＩ）がＮＣＴ  ＵＥに関して定義される。ＮＣＴ  ＵＥは、新たな無線ネットワーク一時的識別子でページングのみをモニタリングするために指定されうる。新たな無線ネットワーク一時的識別子でページングのみをモニタリングすることはさらに、ＬＣＴとＮＣＴとの間を区別しうる。別の構成では、ページングチャネルに関して、新たなマッピング機能が、新たなページングロケーション（例えば、サブフレーム、周波数、キャリア等）にマッピングするように定義される。
【０１００】
[00119] 本開示の別の態様は、ＬＣＴセルからＮＣＴセルへの無線リソース管理（ＲＲＭ）を対象にする。ＵＥは、ＵＥが測定を行う前にセルがＬＣＴであるか、ＮＣＴであるかを知らなければならない。例えば、ＬＣＴからの基準信号受信電力（ＲＳＲＰ）信号とＮＣＴからの基準信号受信電力（ＲＳＲＰ）信号は異なる。ＬＣＴからの基準信号受信電力は、共通基準信号（ＣＲＳ）に基づくことができ、ＮＣＴからの基準信号受信電力は、チャネル状態情報基準信号（ＣＳＩ−ＲＳ）に基づくことができる。
【０１０１】
[00120] １つの構成では、マスタ情報ブロックおよび／またはシステム情報ブロックは、セルがＮＣＴであることを示すために１つまたは複数のリザーブされたビットを含む。ＬＣＴ  ＵＥは、セルがＬＣＴセルであると見なし、ＬＣＴ  ＵＥはＮＣＴセルにアクセスしない。ビットが、セルがＮＣＴであると示すためにシグナリングされるとき、ＮＣＴ  ＵＥは、信号を受信し、ＮＣＴに関して定義される信号で基準信号受信電力を測定するだろう。信号測定は、近隣セル、異なるキャリア測定、またはアイドルからセル遷移をアクティブにするために、行われうる。１つの構成では、ＬＣＴ  ＵＥは、セルがＮＣＴであることを示すビットを無視する。
【０１０２】
[00121] 本開示の別の態様は、結合ＬＣＴとＮＣＴ動作でのセルに関する無線リソース管理（ＲＲＭ）を対象にする。１つの構成では、ＵＥは、ＬＣＴからの基準信号受信電力を報告する。別の構成では、ＮＣＴ  ＵＥは、ＮＣＴからの基準信号受信電力を報告する。また別の構成では、ＵＥは、１つはＬＣＴ信号からの、別のもう１つはＮＣＴ信号からの、基準信号受信電力測定の２つのセットを報告する。ｅノードＢは、無線リソース管理のためにＮＣＴとＬＣＴとの間での基準信号受信電力比較を行うことができる。つまり、１つの構成では、ｅノードＢは、ＵＥが受信された基準信号受信電力測定に基づいてＮＣＴをサポートするかどうかを決定する。
【０１０３】
[00122] 本開示の１つの態様では、クロスキャリア無線リソース管理（ＲＲＭ）のサポートは、（スタンドアローンキャリアとしての）ＬＣＴおよびＮＣＴが隣接したセルにおいて展開される場合に提供される。特に、例として、ＮＣＴが第１のセルにあり、ＬＣＴが第２のセルにある場合、２つのセルは異なる周波数で動作する。依然として、アップリンクは同じ周波数を共有する。
【０１０４】
[00123] 別の例では、ＮＣＴは第１のセルにあり、ＬＣＴは第２のセルにある。これらの２つのセルは、ダウンリンクに関しては同じ周波数を共有し、アップリンクに関しては同じ周波数を共有しうる。両方の例で、干渉測定は、ＮＣＴからＬＣＴへのハンドオフを可能にするようにサポートされる。ＮＣＴ  ＵＥは、リソース無線管理のためにＮＣＴとＬＣＴとの両方からの基準信号受信電力を測定する。
【０１０５】
[00124] 本開示の別の態様は、セル獲得を対象にする。特に、異なるプライマリ同期信号およびセカンダリ同期信号（ＰＳＳ／ＳＳＳ）がＬＣＴおよびＮＣＴに対して指定されるとき、同じＰＳＳロケーションが維持され、異なるＳＳＳロケーションがそれぞれのキャリアタイプに対して提供される。つまり、１つのＳＳＳロケーションはＮＣＴに対して指定され、別のＳＳＳロケーションがＬＣＴに対して指定される。
【０１０６】
[00125] １つの構成では、２つの｛ＰＳＳ，ＳＳＳ｝の組み合わせが同じ物理セル識別子（ＰＣＩ）にマッピングされる。つまり、一度ＰＰＳおよびＳＳＳが知られると、同じＰＣＩがＰＳＳ／ＳＳＳのどちらの組み合わせに対しても導出される。さらに具体的には、マッピングが両方のキャリアタイプに対して同じ状態であるため、同じＰＣＩがＰＳＳ／ＳＳＳのどちらの組み合わせに対しても導出される。
【０１０７】
[00126] 別の構成では、２つの｛ＰＳＳ，ＳＳＳ｝の組み合わせのそれぞれは、異なるＰＣＩにマッピングされる。つまり、異なるマッピングは、ＬＣＴに対するＰＳＳ／ＳＳＳマッピングと比較して、ＮＣＴに対するＰＳＳ／ＳＳＳからから適用される。このように、ＬＣＴ上で動作するＵＥは、第１のＰＣＴを検出し、ＮＣＴ上で動作するＵＥは、第２のＰＣＴを検出するだろう。現在、ＣＲＳは、ＰＣＩにリンクされる。したがって、異なるリンケージ（linkage）は、ＮＣＴに対して適用され、あるいはオプションで、複数のＰＣＩが、同じＣＲＳにリンクされうる。
【０１０８】
[00127] 複数の設計は、ｅノードＢがＮＣＴをサポートするのか、ＬＣＴをサポートするのかを示すためにインプリメントされうる。例えば、１ビットは、基地局がＮＣＴであるかどうかを示すために、ＰＢＣＨのような物理ブロードキャストチャネルで指定されうる。オプションで、ＵＥは常に、ＬＣＴとして基地局にアクセスすることができ、ＮＣＴ  ＵＥは、ＮＣＴロケーションおよび／または異なるＲＡＣＨリソース等を決定するためにＳＩＢにおけるさらなる情報を取得することができる。
【０１０９】
[00128] 本開示の別の態様は、物理ブロードキャストチャネル設計オプションを対象にする。ＮＣＴに関して、ただ１つの基準信号（ＲＳ）ポートが定義される。１つの構成では、どの基準信号ポートもＮＣＴに対して定義されない。基準信号ポートが定義される場合、それは、物理ブロードキャストチャネルに関する、１つのポートの共通基準信号（ＣＲＳ）または復調された基準信号（ＤＭＲＳ）に基づきうる。依然として、ＬＣＴに関して、物理ブロードキャストチャネルは、１つ、２つまたは４つのポートを使用することができる。
【０１１０】
[00129] したがって、ＵＥは、セルがＮＣＴとして指定されるのか、ＬＣＴとして指定されるのかを識別するために、物理ブロードキャストチャネルブラインド復号を使用することができる。１つの構成では、ブラインド復号は、物理ブロードキャストチャネルの４つの候補に関して指定される。特に、ブラインド復号は、ＮＣＴに関する物理ブロードキャストチャネルが存在し、復調された基準信号（ＤＭＲＳ）ベースであるか別の新たなフォーマットに基づくかすることを規格が指定する場合、４つの候補に関して指定される。
【０１１１】
[00130] 例えば、物理ブロードキャストチャネルが検出され、ＤＭＲＳベースであるか新たなフォーマットにあるかの場合、ＵＥは、ＮＣＴとしてセルを識別することができる。復調された基準信号が、ＣＲＳポート１、２、または４を使用するとして検出される場合、ＵＥは、ＬＣＴとしてセルを識別する。
【０１１２】
[00131] 物理ブロードキャストチャネルが、ＣＲＳベースであるとしてＮＣＴに関して定義される場合、物理ブロードキャストチャネルに対する３つの候補のブラインド復号は、ＮＣＴまたはＬＣＴを識別することができる。例えば、物理ブロードキャストチャネルが、ＣＲＳポート１で検出される場合、ＵＥは、ＮＣＴまたは単一アンテナＬＣＴとしてセルを識別する。ＰＢＣＨ／ＳＩＢにおけるさらなるシグナリングは、ＬＣＴおよびＮＣＴを分化するために指定されうる。つまり、物理ブロードキャストチャネルがＣＲＳポート２または４で検出される場合、ＵＥは、ＬＣＴとしてセルを識別することができる。
【０１１３】
[00132] 一般的に、ブラインド復号は、ＮＣＴとＬＣＴとの間を分化するために使用されうる。混合された展開のケースでは、ＮＣＴベース物理ブロードチャネルとＬＣＴベース物理ブロードチャネルの両方が送信されうる。したがって、基地局は、ＮＣＴとＬＣＴとの間を分化するために、物理ブロードキャストチャネルまたはＳＩＢを使用する。
【０１１４】
[00133] 本開示の別の態様は、ランダムアクセスチャネル（ＲＡＣＨ）構成を対象にする。特に、異なるランダムチャネル構成（例えば、シーケンス、周波数ロケーション、時間ロケーション）は、ＮＣＴ  ＵＥに対してシグナリングされうる。ＲＡＣＨ構成は、ＵＥが、第１のランダムアクセスチャネルメッセージ（ＲＡＣＨ  Ｍｓｇ１）でそのＮＣＴ能力を露呈させることを許容する。そのようなランダムアクセスチャネルシーケンスの検出の際に、ｅノードＢは、ＵＥがＮＣＴ能力があることを決定し、ＮＣＴサブフレーム（ＴＤＭ分割）またはＮＣＴ周波数（ＦＤＭ分割）に基づいて、ＵＥにランダムアクセスチャネルメッセージ２（Ｍｓｇ２）およびメッセージ４（Ｍｓｇ４）を送信するだろう。
【０１１５】
[00134] ＮＣＴおよびＬＣＴ時間ドメイン分割は、ＮＣＴおよびＬＣＴサブフレームが、すべてのランダムアクセスチャネルメッセージが送信されることを許容するように構成されうる。例えば、ＮＣＴ  ＵＥに関して、メッセージ１（Ｍｓｇ１）は、ＮＣＴアップリンクサブフレーム上で送信され、メッセージ２（Ｍｓｇ２）はＮＣＴダウンリンクサブフレーム上で送信される。さらに、メッセージ３（Ｍｓｇ３）は、ＮＣＴアップリンクサブフレーム上で送信され、メッセージ４（Ｍｓｇ４）はＮＣＴダウンリンクサブフレーム上で送信される。
【０１１６】
[00135] 本開示の別の態様は、ダウンリンクおよびアップリンク関連ハンドリングを対象にする。ＴＤＭ分割アプローチでは、ＵＥは、それぞれのキャリアタイプに対してダウンリンクサブフレームの１つのセットを有することができる。２つの異なる構成は、ダウンリンクサブフレームとのアップリンク関連に関して指定されうる。
【０１１７】
[00136] １つの構成では、アップリンクサブフレームは、ダウンリンクサブフレームと比較して４のサブフレームオフセットを有する。つまり、ダウンリンクがサブフレームＫ上で送信されるとき、アップリンクは、（例えば、ＨＡＲＱタイムラインに準拠するように）サブフレームＫ＋４上で送信されるだろう。別の構成では、ＵＥは、独立した関連を使用する。つまり、アップリンクは、あらゆるサブフレーム上で送信されることができる（つまり、アップリンクサブフレームとダウンリンクサブフレームとの間に相互関係が存在しない）。したがって、ダウンリンクサブフレームが制限されるとき、クロスサブフレームスケジューリングがアップリンクのために使用されうる。ＮＣＴのケースでは、強化されたダウンリンク制御チャネル（例えば、ｅＰＤＣＣＨ）が制御シグナリングに関して指定される場合、クロスサブフレームスケジューリングは、強化されたダウンリンク制御チャネルに基づいて定義されうる。
【０１１８】
[00137] 一般的に、ＴＤＭおよび／ＦＤＭ分割技法は、現在のリリース（例えば、ＮＣＴ）に準拠しない特徴のために使用されうる。加えて、物理ブロードキャストチャネルにおけるリザーブされた１ビットは、ＴＤＭおよび／またはＦＤＭ分割が使用されることをシグナリングするように指定されうる。例えば、ＮＣＴ  ＵＥは、無線リソース管理および／またはネットワークアクセスのために制限されたサブフレームおよび／または制限された帯域幅を使用することができる。
【０１１９】
[00138] 加えて、上で示された態様は、機械タイプデバイス（ＭＴＣ）のために使用されうる。例えば、ＭＴＣは、ＬＣＴと結合して動作しうる。
【０１２０】
[00139] 図１３は、異なるキャリアタイプの共存を許容するための方法１３００を例示している。ブロック１３０２において、ｅノードＢは、キャリア上でリソースを送信する。キャリアは、第１のキャリアタイプに関連付けられたリソースの第１のセットおよび第２のキャリアタイプに関連付けられたリソースの第２のセットを有する。１つの構成では、第１のキャリアタイプはＮＣＴであり、第２のキャリアタイプはＬＣＴである。ＮＣＴはＮＣＴ  ＵＥをサポートし、ＬＣＴはＬＣＴ  ＵＥをサポートする。
【０１２１】
[00140] ブロック１３０４で、ｅノードＢは、第２のキャリアタイプのＵＥとのシグナリングを維持する間に、少なくとも第１のキャリアタイプのＵＥに第１のキャリアタイプのサポートをシグナリングする。１つの構成では、シグナリングは、第１のキャリアタイプおよび第２のキャリアタイプに対して同じプライマリ同期信号（ＰＳＳ）ロケーション、およびセカンダリ同期信号（ＳＳＳ）を定義することを含むことができる。ＳＳＳは、第１のキャリアタイプのために定義され、第２のキャリアタイプために複製される。この構成では、ＵＥは、物理セル識別子へのＰＳＳおよびＳＳＳのマッピングに基づいてサポートされたキャリアタイプを決定する。別の構成では、シグナリングすることは、ＮＣＴのような指定のキャリアタイプのサポートを示すためにマスタ情報ブロックまたはシステム情報ブロックにおいてリザーブされたビットをシグナリングすることを含む。
【０１２２】
[00141] 図１４は、異なるキャリアタイプの共存を許容するための方法１４００を例示している。ブロック１４０２において、ＵＥは、キャリア上でリソースを受信する。キャリアは、第１のキャリアタイプに関連付けられたリソースの第１のセットおよび第２のキャリアタイプに関連付けられたリソースの第２のセットを有する。１つの構成では、第１のキャリアタイプはＮＣＴであり、第２のキャリアタイプはＬＣＴである。ＮＣＴはＮＣＴ  ＵＥをサポートし、ＬＣＴはＬＣＴ  ＵＥをサポートする。
【０１２３】
[00142] ブロック１４０４において、ＵＥは、ｅノードＢが第１のキャリアタイプ、第２のキャリアタイプ、またはそれらの組み合わせ、のうちの１つまたは複数をサポートするかどうかを決定する。１つの構成では、その決定は、物理ブロードキャストチャネルに対する候補のブラインド復号に基づく。この構成では、ＵＥは、ｅノードＢが、物理ブロードキャストチャネルに関する共通基準信号（ＣＲＳ）ポートに基づいて、第１のキャリアタイプまたは第２のキャリアタイプをサポートすることを決定することができる。別の構成では、その決定は、ｅノードＢからの割り当てに基づく。その割り当ては、ＵＥによって送信される基準信号受信電力（ＲＳＲＰ）に基づきうる。
【０１２４】
[00143] 図１５は、例示的な装置１５００における異なるモジュール／手段／コンポーネント間のデータフローを例示する概略的なデータフロー図である。装置１５００は、送信モジュール１５０８を含む。装置１５００は、信号１５１２を介してキャリア上でリソースを送信するために送信モジュール１５０８を制御することができる。キャリアは、第１のキャリアタイプに関連付けられたリソースの第１のセットおよび第２のキャリアタイプに関連付けられたリソースの第２のセットを有する。
【０１２５】
[00144] 装置１５００はまた、第２のキャリアタイプのＵＥとのシグナリングを維持する間に、少なくとも第１のキャリアタイプのＵＥに第１のキャリアタイプのサポートをシグナリングするシグナリングモジュール１５０４も含む。シグナリングモジュール１５０４は、信号１５１２を介してシグナリングモジュール１５０４によって生成された信号を送信するために送信モジュール１５０８を制御することができる。装置は、上述の図１３のフローチャートにおけるプロセスのステップのそれぞれを行うさらなるモジュールを含むことができる。このように、上述の図１３のフローチャートにおけるそれぞれのステップはあらゆるモジュールによって行われることができ、ならびに装置はこれらのモジュールのうちの１または複数を含むことができる。モジュールは、述べられたプロセス／アルゴリズムを実行するように特に構成され、述べられたプロセス／アルゴリズムを行うように構成されたプロセッサによってインプリメントされ、プロセッサによるインプリメンテーションのためにコンピュータ可読媒体内に記憶された、あるいはそれらのいくつかの組み合わせの、１つまたは複数のハードウェアコンポーネントでありうる。
【０１２６】
[00145] 図１６は、例示的な装置１６００における異なるモジュール／手段／コンポーネント間のデータフローを例示する概略的なデータフロー図である。装置１６００は、キャリア上でリソースを受信する受信モジュール１６０６を含む。リソースは、受信モジュール１６０６で受信される信号１６１０を介して受信されうる。キャリアは、第１のキャリアタイプに関連付けられたリソースの第１のセットおよび第２のキャリアタイプに関連付けられたリソースの第２のセットを有する。
【０１２７】
[00146] 装置１６００はまた、ｅノードＢが第１のキャリアタイプ、第２のキャリアタイプ、またはそれらの組み合わせ、のうちの１つまたは複数をサポートするかどうかを決定する決定モジュール１６０２を含む。決定モジュール１６０２は、受信モジュール１６０６で受信された信号１６１０を介して受信されたシグナリングに基づいてｅノードＢによってサポートされるキャリアタイプを決定することができる。装置は、上述の図１４のフローチャートにおけるプロセスのステップのそれぞれを行うさらなるモジュールを含むことができる。このように、上述の図１４のフローチャートにおけるそれぞれのステップはあらゆるモジュールによって行われることができ、ならびに装置はそれらのモジュールのうちの１または複数を含むことができる。モジュールは、述べられたプロセス／アルゴリズムを実行するように特に構成され、述べられたプロセス／アルゴリズムを行うように構成されたプロセッサによってインプリメントされ、プロセッサによるインプリメンテーションのためにコンピュータ可読媒体内に記憶された、あるいはそれらのいくつかの組み合わせの、１つまたは複数のハードウェアコンポーネントでありうる。
【０１２８】
[00147] 図１７は、処理システム１７１４を用いる装置１７００のためのハードウェアインプリメンテーションの例を例示する図である。処理システム１７１４は、バス１７２４により一般的に表されるバスアーキテクチャでインプリメントされうる。バス１７２４は、処理システム１７１４の指定のアプリケーションおよび全体的な設計の制約に依存して、任意の数の相互接続バスおよびブリッジを含むことができる。バス１７２４は、プロセッサ１７２２、モジュール１７０２、１７０４、およびコンピュータ可読媒体１７２６によって表されている１つまたは複数のプロセッサおよび／またはハードウェアモジュールを含む様々な回路を共にリンクさせる。バス１７２４はまた、タイミングソース、周辺機器、電圧レギュレータ、電力管理回路のような様々な他の回路をリンクさせることができ、これらは、当該技術分野で周知であるので、これ以上説明されない。
【０１２９】
[00148] 装置はトランシーバ１７３０に結合された処理システム１７１４を含む。トランシーバ１７３０は、１つまたは複数のアンテナ１７２０に結合される。トランシーバ１７３０は、送信媒体をわたって様々な他の装置と通信することを可能にする。処理システム１７１４は、コンピュータ可読媒体１７２６に結合されたプロセッサ１７２２を含む。プロセッサ１７２２は、コンピュータ可読媒体１７２６上に記憶されたソフトウェアの実行を含む、一般的な処理を担う。このソフトウェアは、プロセッサ１７２２によって実行されるとき、処理システム１７１４に、あらゆる特定の装置に関して説明された様々な機能を行わせる。コンピュータ可読媒体１７２６はまた、ソフトウェアを実行するときにプロセッサ１７２２によって操作されるデータを記憶するために使用されることもできる。
【０１３０】
[00149] 処理システム１７１４は、キャリア上でリソースを送信するための送信モジュール１７０２を含む。処理システム１７１４はまた、第２のキャリアタイプのＵＥとのシグナリングを維持する間に、少なくとも第１のキャリアタイプのＵＥに第１のキャリアタイプのサポートをシグナリングするためのシグナリングモジュール１７０４も含む。モジュールは、プロセッサ１７２２において稼働し、コンピュータ可読媒体１７２６に内在し／記憶されたソフトウェアモジュール、プロセッサ１７２２に結合された１つまたは複数のハードウェアモジュール、またはそれらのいくつかの組み合わせでありうる。処理システム１７１４は、ＵＥ６５０のコンポーネントであり、メモリ６６０および／またはコントローラ／プロセッサ６５９を含むことができる。
【０１３１】
[00150] 図１８は、処理システム１８１４を用いる装置１８００のためのハードウェアインプリメンテーションの例を例示する図である。処理システム１８１４は、バス１８２４によって一般的に表されるバスアーキテクチャでインプリメントされうる。バス１８２４は、処理システム１８１４の指定のアプリケーションおよび全体的な設計の制約に依存して、任意の数の相互接続バスおよびブリッジを含むことができる。バス１８２４は、プロセッサ１８２２、モジュール１８０２、１８０４、およびコンピュータ可読媒体１８２６によって表されている１つまたは複数のプロセッサおよび／またはハードウェアモジュールを含む様々な回路を共にリンクさせる。バス１８２４はまた、タイミングソース、周辺機器、電圧レギュレータ、電力管理回路のような様々な他の回路をリンクさせることができ、これらは、当該技術分野で周知であるので、これ以上説明されない。
【０１３２】
[00151] 装置はトランシーバ１８３０に結合された処理システム１８１４を含む。トランシーバ１８３０は、１つまたは複数のアンテナ１８２０に結合される。トランシーバ１８３０は、送信媒体をわたって様々な他の装置と通信することを可能にする。処理システム１８１４は、コンピュータ可読媒体１８２６に結合されたプロセッサ１８２２を含む。プロセッサ１８２２は、コンピュータ可読媒体１８２６上に記憶されたソフトウェアの実行を含む、一般的な処理を担う。このソフトウェアは、プロセッサ１８２２によって実行されるとき、処理システム１８１４に、あらゆる特定の装置に関して記述された様々な機能を行わせる。コンピュータ可読媒体１８２６はまた、ソフトウェアを実行するときにプロセッサ１８２２によって操作されるデータを記憶するために使用されることもできる。
【０１３３】
[00152] 処理システム１８１４は、キャリア上でリソースを受信するための受信モジュール１８０２を含む。処理システム１８１４はまた、ｅノードＢが第１のキャリアタイプ、第２のキャリアタイプ、またはそれらの組み合わせ、のうちの１つまたは複数をサポートするかどうかを決定するための決定モジュール１８０４も含む。モジュールは、プロセッサ１８２２において稼働し、コンピュータ可読媒体１８２６に内在し／記憶されたソフトウェアモジュール、プロセッサ１８２２に結合された１つまたは複数のハードウェアモジュール、またはそれらのいくつかの組み合わせでありうる。処理システム１８１４は、ＵＥ６５０のコンポーネントであり、メモリ６６０および／またはコントローラ／プロセッサ６５９を含むことができる。
【０１３４】
[00153] １つの構成では、ｅノードＢ６１０は、送信するための手段およびシグナリングするための手段を含むワイヤレス通信のために構成される。１つの態様では、送信する手段およびシグナリングする手段は、送信する手段および／またはシグナリングする手段によって記載された機能を行うように構成された、コントローラ／プロセッサ６７５、メモリ６７６、送信プロセッサ６１６、モジュール６１８、および／またはアンテナ６２０でありうる。別の構成では、上述された手段は、上述された手段によって記載された機能を行うように構成されたあらゆるモジュールまたはあらゆる装置でありうる。
【０１３５】
[00154] １つの構成では、ＵＥ６５０は、受信するための手段を含むワイヤレス通信のために構成される。１つの態様では、受信する手段は、受信する手段によって記載された機能を行うように構成された、コントローラ／プロセッサ６５９、メモリ６６０、受信プロセッサ６５６、モジュール６５４、および／またはアンテナ６５２でありうる。ＵＥ６５０はまた、決定するための手段を含むワイヤレス通信のために構成される。１つの態様では、決定する手段は、決定する手段によって記載された機能を行うように構成された、コントローラ／プロセッサ６５９、メモリ６６０、および／または受信プロセッサ６５６でありうる。別の構成では、上述された手段は、上述された手段によって記載された機能を行うように構成されたあらゆるモジュールまたはあらゆる装置でありうる。
【０１３６】
[00155] 当業者はさらに、ここでの開示に関連して説明された様々な例示的な論理ブロック、モジュール、回路、およびアルゴリズムのステップが、電子ハードウェア、コンピュータソフトウェア、または両方の組み合わせとしてインプリメントされうることを認識するだろう。ハードウェアとソフトウェアとのこの互換性を明確に例示するために、様々な例示的なコンポーネント、ブロック、モジュール、回路、およびステップが、それらの機能の観点で一般的に上で説明されている。このような機能が、ハードウェアとしてインプリメントされるか、あるいはソフトウェアとしてインプリメントされるかは、特定のアプリケーションおよびシステム全体に課せられる設計制約に依存する。当業者は、それぞれの特定のアプリケーションに対して多様な方法で説明された機能をインプリメントすることができるが、このようなインプリメンテーションの決定は、本開示の範囲からの逸脱を引き起こしていると解釈されるべきでない。
【０１３７】
[00156] ここでの開示に関連して説明された、様々な例示的な論理ブロック、モジュール、および回路は、ここで説明された機能を行うように設計された、汎用プロセッサ、デジタルシグナルプロセッサ（ＤＳＰ）、特定用途向け集積回路（ＡＳＩＣ）、フィールドプログラマブルゲートアレイ（ＦＰＧＡ）、または他のプログラマブル論理デバイス、ディスクリートゲートまたはトランジスタ論理、ディスクリートハードウェアコンポーネント、またはそれらのあらゆる組み合わせを用いて、インプリメントされうる、または行われうる。汎用プロセッサは、マイクロプロセッサでありうるが、代わりとして、このプロセッサは、任意の従来型のプロセッサ、コントローラ、マイクロコントローラ、またはステートマシン（ｓｔａｔｅ  ｍａｃｈｉｎｅ）でありうる。プロセッサはまた、コンピューティングデバイスの組み合わせとして、例えば、ＤＳＰとマイクロプロセッサの組み合わせ、複数のマイクロプロセッサ、ＤＳＰコアを備えた１つ以上のマイクロプロセッサ、あるいは、何らかの他のこのような構成としてインプリメントされうる。
【０１３８】
[00157] ここでの開示に関連して説明された方法またはアルゴリズムのステップは、ハードウェアで直接的に、プロセッサによって実行されるソフトウェアモジュールで、または両者の組み合わせで、具現化されることができる。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、あるいは当該技術で周知の任意の他の形態の記憶媒体内に存在しうる。プロセッサが記憶媒体から情報を読み出したり、記憶媒体に情報を書き込んだりできるように、例示的な記憶媒体はプロセッサに結合されている。代わりとして、記憶媒体は、プロセッサと一体化されうる。プロセッサおよび記憶媒体は、ＡＳＩＣ内に存在しうる。ＡＳＩＣは、ユーザ端末に存在しうる。代わりとして、プロセッサと記憶媒体は、ユーザ端末においてディスクリートコンポーネントとして存在しうる。
【０１３９】
[00158] １つまたは複数の例示的な設計において、説明された機能は、ハードウェア、ソフトウェア、ファームウェア、またはそれらのあらゆる組み合わせでインプリメントされることができる。ソフトウェアでインプリメントされる場合、機能は、１つまたは複数の命令またはコードとしてコンピュータ可読媒体上に記憶されうる、あるいは、１つまたは複数の命令またはコードとしてコンピュータ可読媒体上に送信されうる。コンピュータ可読媒体は、１つの場所から別の場所へのコンピュータプログラムの転送を容易にするあらゆる媒体を含む通信媒体およびコンピュータ記憶媒体の両方を含む。記憶媒体は、汎用または専用コンピュータによってアクセスされることができるあらゆる可能な媒体であることができる。限定ではなく例として、このようなコンピュータ可読媒体は、ＲＡＭ、ＲＯＭ、ＥＥＰＲＯＭ、ＣＤ−ＲＯＭ、または他の光ディスク記憶装置、磁気ディスク記憶装置、または他の磁気記憶装置、あるいは命令またはデータ構造の形態で所望のプログラムコード手段を搬送または記憶するために使用でき、汎用または特定用途のコンピュータあるいは汎用または特定用途のプロセッサによってアクセスできる他の何らかの媒体を備えることができる。また、あらゆる接続は、コンピュータ可読媒体と適切に呼ばれている。例えば、ソフトウェアが、ウェブサイトから、サーバから、あるいは、同軸ケーブル、光ファイバケーブル、ツイストペア、デジタル加入者線（ＤＳＬ）、または赤外線や、無線や、マイクロ波のようなワイヤレス技術を使用している他の遠隔ソースから送信された場合、同軸ケーブル、光ファイバケーブル、ツイストペア、ＤＳＬ、あるいは、赤外線や、無線や、マイクロ波のようなワイヤレス技術は、媒体の定義に含まれる。本明細書で使用されるようなディスク（ｄｉｓｋ）およびディスク（ｄｉｓｃ）は、コンパクトディスク（ＣＤ）（ｄｉｓｃ）、レーザディスク（ｄｉｓｃ）、光学ディスク（ｄｉｓｃ）、デジタルバーサタイルディスク（ＤＶＤ）（ｄｉｓｃ）、フロッピーディスク（ｄｉｓｋ）およびブルーレイディスク（ｄｉｓｃ）を含む。ここで、ディスク（ｄｉｓｋ）は通常、データを磁気的に再生する一方、ディスク（ｄｉｓｃ）は通常、レーザを用いてデータを光学的に再生する。上記の組み合わせもまた、コンピュータ可読媒体の範囲内に含まれるべきである。
【０１４０】
[00159] 本開示の先の説明は、いずれの当業者も本開示を製造または使用することをできるようにするために提供されている。本開示に対する様々な修正は、当業者に容易に明らかであり、ここで定義された包括的な原理は、本開示の精神または範囲から逸脱せずに、他のバリエーションに適用されることができる。よって、本開示は、本明細書において説明される例および設計に限定されるように意図されたものではなく、本明細書において開示された原理および新規の特徴と一致する最大範囲を与えられるべきである。
以下に、本願出願の当初の特許請求の範囲に記載された発明を付記する。
［Ｃ１］ワイヤレス通信の方法であって、
キャリア上でリソースを送信することと、前記リソースは、第１のキャリアタイプに関連付けられたリソースの第１のセット、および第２のキャリアタイプに関連付けられたリソースの第２のセットを備える、
第２のキャリアタイプのＵＥとのシグナリングを維持する間に、少なくとも第１のキャリアタイプのＵＥに前記第１のキャリアタイプのサポートをシグナリングすることと、
を備える、方法。
［Ｃ２］前記シグナリングすることは、
前記第１のキャリアタイプおよび前記第２のキャリアタイプに対して同じプライマリ同期信号（ＰＳＳ）ロケーションを定義することと、
前記第１のキャリアタイプに関してセカンダリ同期信号（ＳＳＳ）を定義することと、
前記第２のキャリアタイプのために前記ＳＳＳを複製することと、
を備える、Ｃ１に記載の方法。
［Ｃ３］前記ＰＳＳおよび前記ＳＳＳの２つのセットは、同じ物理セル識別子（ＰＣＩ）にマッピングされる、Ｃ２に記載の方法。
［Ｃ４］前記第１のキャリアタイプに関する前記ＰＳＳおよび前記ＳＳＳの第１のセットは、第１の物理セル識別子（ＰＣＩ）にマッピングされ、前記第２のキャリアタイプに関する前記ＰＳＳおよび前記ＳＳＳの第２のセットは、第２のＰＣＩにマッピングされる、Ｃ２に記載の方法。
［Ｃ５］前記シグナリングすることは、前記第１のキャリアタイプのサポートを示すために、マスタ情報ブロック（ＭＩＢ）またはシステム情報ブロック（ＳＩＢ）においてリザーブされたビットをシグナリングすることを備える、Ｃ１に記載の方法。
［Ｃ６］前記第１のキャリアタイプは、新たなキャリアタイプであり、前記第２のキャリアタイプは、レガシキャリアタイプである、Ｃ１に記載の方法。
［Ｃ７］リソースの前記第１のセットおよびリソースの前記第２のセットは、直交サブフレームまたはサブバンドを備える、Ｃ１に記載の方法。
［Ｃ８］ワイヤレス通信の方法であって、
キャリア上でリソースを受信することと、前記リソースは、第１のキャリアタイプに関連付けられたリソースの第１のセット、および第２のキャリアタイプに関連付けられたリソースの第２のセットを備える、
ｅノードＢが前記第１のキャリアタイプ、前記第２のキャリアタイプ、またはそれらの組み合わせ、のうちの１つまたは複数をサポートするかどうかを決定することと、
を備える、方法。
［Ｃ９］前記決定することは、前記ｅノードＢが前記第１のキャリアタイプをサポートするか、前記第２のキャリアタイプをサポートするかを決定するために、物理ブロードキャストチャネル（ＰＢＣＨ）のための候補をブラインド復号することを備える、Ｃ８に記載の方法。
［Ｃ１０］前記第１のキャリアタイプは、新たなＰＢＣＨフォーマットから決定される、Ｃ９に記載の方法。
［Ｃ１１］前記決定することは、前記ＰＢＣＨのための共通基準信号（ＣＲＳ）ポートに基づいて、前記ｅノードＢが前記第１のキャリアタイプまたは前記第２のキャリアタイプをサポートすることを決定することを備える、Ｃ９に記載の方法。
［Ｃ１２］前記第１のキャリアタイプ、前記第２のキャリアタイプ、またはそれらの組み合わせ、のうちの１つまたは複数から基準信号受信電力を報告することをさらに備え、ここにおいて、前記決定することは、前記基準信号受信電力が前記第１のキャリアタイプおよび前記第２のキャリアタイプの両方に関して報告されるとき、前記第１のキャリアタイプに関する割り当てを受信することをさらに備える、Ｃ８に記載の方法。
［Ｃ１３］前記第１のキャリアタイプのサポートを示すために、ランダムアクセスチャネル（ＲＡＣＨ）メッセージを送信することをさらに備える、Ｃ８に記載の方法。
［Ｃ１４］前記第１のキャリアタイプは、新たなキャリアタイプであり、前記第２のキャリアタイプは、レガシキャリアタイプである、Ｃ８に記載の方法。
［Ｃ１５］ワイヤレス通信のための装置であって、
メモリと、
前記メモリに結合された少なくとも１つのプロセッサと、
を備え、前記少なくとも１つのプロセッサは、
キャリア上でリソースを送信し、前記リソースは、第１のキャリアタイプに関連付けられたリソースの第１のセット、および第２のキャリアタイプに関連付けられたリソースの第２のセットを備える、
第２のキャリアタイプのＵＥとのシグナリングを維持する間に、少なくとも第１のキャリアタイプのＵＥに前記第１のキャリアタイプのサポートをシグナリングする、
ように構成される、装置。
［Ｃ１６］前記少なくとも１つのプロセッサは、
前記第１のキャリアタイプおよび前記第２のキャリアタイプに対して同じプライマリ同期信号（ＰＳＳ）ロケーションを定義し、
前記第１のキャリアタイプに関してセカンダリ同期信号（ＳＳＳ）を定義し、
前記第２のキャリアタイプのために前記ＳＳＳを複製する、
ようにさらに構成される、Ｃ１５に記載の装置。
［Ｃ１７］前記ＰＳＳおよび前記ＳＳＳの２つのセットは、同じ物理セル識別子（ＰＣＩ）にマッピングされる、Ｃ１６に記載の装置。
［Ｃ１８］前記第１のキャリアタイプに関する前記ＰＳＳおよび前記ＳＳＳの第１のセットは、第１の物理セル識別子（ＰＣＩ）にマッピングされ、前記第２のキャリアタイプに関する前記ＰＳＳおよび前記ＳＳＳの第２のセットは、第２のＰＣＩにマッピングされる、Ｃ１６に記載の装置。
［Ｃ１９］前記少なくとも１つのプロセッサは、前記第１のキャリアタイプのサポートを示すために、マスタ情報ブロック（ＭＩＢ）またはシステム情報ブロック（ＳＩＢ）においてリザーブされたビットをシグナリングするようにさらに構成される、Ｃ１５に記載の装置。
［Ｃ２０］前記第１のキャリアタイプは、新たなキャリアタイプであり、前記第２のキャリアタイプは、レガシキャリアタイプである、Ｃ１５に記載の装置。
［Ｃ２１］リソースの前記第１のセットおよびリソースの前記第２のセットは、直交サブフレームまたはサブバンドを備える、Ｃ１５に記載の装置。
［Ｃ２２］ワイヤレス通信のための装置であって、
メモリと、
前記メモリに結合された少なくとも１つのプロセッサと、
を備え、前記少なくとも１つのプロセッサは、
キャリア上でリソースを受信し、前記リソースは、第１のキャリアタイプに関連付けられたリソースの第１のセット、および第２のキャリアタイプに関連付けられたリソースの第２のセットを備える、
ｅノードＢが前記第１のキャリアタイプ、前記第２のキャリアタイプ、またはそれらの組み合わせ、のうちの１つまたは複数をサポートするかどうかを決定する、
ように構成される、装置。
［Ｃ２３］前記少なくとも１つのプロセッサは、前記ｅノードＢが前記第１のキャリアタイプをサポートするか前記第２のキャリアタイプをサポートするかを決定するために、物理ブロードキャストチャネル（ＰＢＣＨ）のための候補をブラインド復号するようにさらに構成される、Ｃ２２に記載の装置。
［Ｃ２４］前記第１のキャリアタイプは、新たなＰＢＣＨフォーマットから決定される、Ｃ２３に記載の装置。
［Ｃ２５］前記少なくとも１つのプロセッサは、前記ＰＢＣＨのための共通基準信号（ＣＲＳ）ポートに基づいて、前記ｅノードＢが前記第１のキャリアタイプまたは前記第２のキャリアタイプをサポートすることを決定するようにさらに構成される、Ｃ２３に記載の装置。
［Ｃ２６］前記少なくとも１つのプロセッサは、
前記第１のキャリアタイプ、前記第２のキャリアタイプ、またはそれらの組み合わせ、のうちの１つまたは複数から基準信号受信電力を報告し、
前記基準信号受信電力が前記第１のキャリアタイプおよび前記第２のキャリアタイプの両方に関して報告されるとき、前記第１のキャリアタイプに関する割り当てを受信する、
ようにさらに構成される、Ｃ２２に記載の装置。
［Ｃ２７］前記少なくとも１つのプロセッサは、前記第１のキャリアタイプのサポートを示すために、ランダムアクセスチャネル（ＲＡＣＨ）メッセージを送信するようにさらに構成される、Ｃ２２に記載の装置。
［Ｃ２８］前記第１のキャリアタイプは、新たなキャリアタイプであり、前記第２のキャリアタイプは、レガシキャリアタイプである、Ｃ２２に記載の装置。
［Ｃ２９］ワイヤレス通信のための装置であって、
キャリア上でリソースを送信するための手段と、前記リソースは、第１のキャリアタイプに関連付けられたリソースの第１のセット、および第２のキャリアタイプに関連付けられたリソースの第２のセットを備える、
第２のキャリアタイプのＵＥとのシグナリングを維持する間に、少なくとも第１のキャリアタイプのＵＥに前記第１のキャリアタイプのサポートをシグナリングするための手段と、
を備える、装置。
［Ｃ３０］ワイヤレス通信のための装置であって、
キャリア上でリソースを受信するための手段と、前記リソースは、第１のキャリアタイプに関連付けられたリソースの第１のセット、および第２のキャリアタイプに関連付けられたリソースの第２のセットを備える、
ｅノードＢが前記第１のキャリアタイプ、前記第２のキャリアタイプ、またはそれらの組み合わせ、のうちの１つまたは複数をサポートするかどうかを決定するための手段と、
を備える、装置。
［Ｃ３１］ワイヤレス通信のためのコンピュータプログラム製品であって、前記コンピュータプログラム製品は、
プログラムコードを記録した非トランジトリなコンピュータ可読媒体を備え、前記プログラムコードは、
キャリア上でリソースを送信するためのプログラムコードと、前記リソースは、第１のキャリアタイプに関連付けられたリソースの第１のセット、および第２のキャリアタイプに関連付けられたリソースの第２のセットを備える、
第２のキャリアタイプのＵＥとのシグナリングを維持する間に、少なくとも第１のキャリアタイプのＵＥに前記第１のキャリアタイプのサポートをシグナリングするためのプログラムコードと、
を備える、コンピュータプログラム製品。
［Ｃ３２］ワイヤレス通信のためのコンピュータプログラム製品であって、前記コンピュータプログラム製品は、
プログラムコードを記録した非トランジトリなコンピュータ可読媒体を備え、前記プログラムコードは、
キャリア上でリソースを受信するためのプログラムコードと、前記リソースは、第１のキャリアタイプに関連付けられたリソースの第１のセット、および第２のキャリアタイプに関連付けられたリソースの第２のセットを備える、
ｅノードＢが前記第１のキャリアタイプ、前記第２のキャリアタイプ、またはそれらの組み合わせ、のうちの１つまたは複数をサポートするかどうかを決定するためのプログラムコードと、
を備える、コンピュータプログラム製品。
【図１】
0006039060.tif 000002
【図２】
0006039060.tif 000003
【図３】
0006039060.tif 000004
【図４】
0006039060.tif 000005
【図５】
0006039060.tif 000006
【図６】
0006039060.tif 000007
【図７】
0006039060.tif 000008
【図８】
0006039060.tif 000009
【図９】
0006039060.tif 000010
【図１０】
0006039060.tif 000011
【図１１】
0006039060.tif 000012
【図１２Ａ】
0006039060.tif 000013
【図１２Ｂ】
0006039060.tif 000014
【図１３】
0006039060.tif 000015
【図１４】
0006039060.tif 000016
【図１５】
0006039060.tif 000017
【図１６】
0006039060.tif 000018
【図１７】
0006039060.tif 000019
【図１８】
0006039060.tif 000020